【手続補正書】
【提出日】平成15年10月1日(2003.10.1)
【手続補正１】
【補正対象書類名】明細書
【補正対象項目名】特許請求の範囲
【補正方法】変更
【補正の内容】
【特許請求の範囲】
【請求項１】
ＩＰ転送網は２以上の接続サーバを含み、
外部の端末１から前記接続サーバへ呼設定を送信し、
前記発呼側の接続サーバは、受信した前記呼設定のＩＰパケットに含まれる発呼側の電話番号と着呼側の電話番号を用いて、前記ＩＰ転送網内部の端末間通信用の通話回線を定め、電話呼設定のための初期アドレスメッセージを形成し、
前記形成した初期アドレスメッセージを中継接続サーバを経由して、着呼側の接続サーバへ送信し、前記着呼側の接続サーバは呼設定を着呼側の端末２へ送信すると共に、
前記着呼側の接続サーバはアドレス完了メッセージを形成して
前記中継接続サーバを経由して、
前記発呼側の接続サーバに送信し、
前記着呼側の接続サーバは、前記着呼側の端末から呼出中の報告を受信すると呼経過メッセージを形成し、前記呼経過メッセージは前記中継接続サーバを経由して前記発呼側の接続サーバに到達し、前記発呼側の接続サーバは着呼側の端末の呼出中報告を発信側の端末１へ送信し、
前記着呼側の接続サーバは、前記着呼側の端末２から応答を受信すると応答メッセージを形成し、前記応答メッセージは前記中継接続サーバを経由して前記発呼側の接続サーバに到達し、前記発呼側の接続サーバは前記着呼側の端末２からの呼出音を停止し、前記発呼側の端末と着呼側の端末はディジタルメディアを送受する端末間通信が可能となり、
前記発呼側又は着呼側の端末１又は２から前記一方の接続サーバに端末間通信の切断要求が送信され、前記接続サーバから前記中継接続サーバを経由してもう一方側の接続サーバへ解放要求メッセージが送信され、前記もう一方側の接続サーバからもう一方側の端末へ切断指示が送信され、他方、前記もう一方側の接続サーバから前記中継接続サーバを経由して前記サーバへ解放完了メッセージが送られ、切断完了が端末へ送信され、２つの端末間通信の接続と解放を行うことを特徴とするＩＰ転送網を用いた端末間通信接続制御方法。
【請求項２】
前記発呼側の接続サーバと前記着呼側の接続サーバとの間で、初期アドレスメッセージ、呼経過メッセージ、応答メッセージ、解放要求メッセージ、解放完了メッセージを送受するようになっており、アドレス完了メッセージを省略している請求項１に記載のＩＰ転送網を用いた端末間通信接続制御方法。
【請求項３】
前記端末が電話機であり、前記ディジタルメディアがディジタル化音声であり、メディア通信が電話通信である請求項１に記載のＩＰ転送網を用いた端末間通信接続制御方法。
【請求項４】
前記端末がＩＰ端末であり、前記ディジタルメディアが文字乃至ディジタル化静止画像であり、メディア通信がＩＰデータ通信である請求項１に記載のＩＰ転送網を用いた端末間通信接続制御方法。
【請求項５】
前記端末が音声動画像送受信端末であり、前記ディジタルメディアがディジタル化音声動画像であり、メディア通信が音声動画像通信である請求項１に記載のＩＰ転送網を用いた端末間通信接続制御方法。
【請求項６】
前記端末がファックス端末であり、前記ディジタルメディアがディジタル化ファックス画像であり、メディア通信がファックス通信である請求項１に記載のＩＰ転送網を用いた端末間通信接続制御方法。
【請求項７】
電話番号が、通信相手端末を識別するための端末識別番号である請求項１に記載のＩＰ転送網を用いた端末間通信接続制御方法。
【請求項８】
網ノード装置のアドレス管理表に宛先マルチキャストアドレスを登録しておき、前記網ノード装置に入る外部ＩＰパケットのヘッダ内の宛先マルチキャストアドレスが前記アドレス管理表に登録されていない場合は、前記網ノード装置が当該ＩＰパケットを廃棄することにより、予定外のＩＰパケットがＩＰ転送網内部に混入することを防止することを特徴とするＩＰ転送網を用いた端末間通信接続制御方法。
【請求項９】
前記網ノード装置のアドレス管理表にマルチキャスト送信者のアドレスを登録しないことにより、マルチキャストＩＰパケット受信者から、マルチキャストＩＰパケット送信者へ向けた前記ＩＰパケット受信確認用のACKパケットが前記網ノード装置を通過できないようにしている請求項８に記載のＩＰ転送網を用いた端末間通信接続制御方法。
【請求項１０】
網ノード装置のアドレス管理表に宛先マルチキャストアドレスを登録しておき、前記網ノード装置に入る外部ＩＰパケットのヘッダ内の宛先マルチキャストアドレスが、前記アドレス管理表に登録されていない場合は、前記網ノード装置が当該ＩＰパケットを廃棄することにより、予定外のＩＰパケットがＩＰ転送網内部に混入することを防止することを特徴とする網ノード装置。
【請求項１１】
網ノード装置のアドレス管理表にマルチキャスト送信者のアドレスを登録しないことにより、マルチキャストＩＰパケット受信者からマルチキャストＩＰパケット送信者へ向けた前記ＩＰパケット受信確認用のACKパケットが、前記網ノード装置を通過できないようにしていることを特徴とする網ノード装置。
【請求項１２】
網ノード装置が、ドメイン名サーバを宛先ＩＰアドレスとするＩＰパケットを検出すると、前記ＩＰパケットの送信元ＩＰアドレスとＩＰパケットが入力した通信回線との組合せが、当該網ノード装置のアドレス管理表に含まれるときに限り、受信した前記ＩＰパケットをドメイン名サーバへ転送する方法により、端末間通信の通信許可登録をしていることを特徴とするＩＰ転送網を用いた端末間通信接続制御方法。
【請求項１３】
第１の非独立型ＩＰ電話機と第２の非独立型ＩＰ電話機との間で電話通信を行うため、前記第１の非独立型ＩＰ電話機の送受話器を上げると、前記第１の非独立型ＩＰ電話機が前記第２の非独立型ＩＰ電話機の電話番号を含むＩＰパケットを生成して送出し、前記ＩＰパケットは、H323終端部を経由し、第１のメディアルータ内部の第１のドメイン名サーバを経て第１の網ノード装置に到達し、前記第１の網ノード装置は前記ＩＰパケットをＩＰ転送網内部の第２のドメイン名サーバに送信し、前記第２のドメイン名サーバは前記第２の非独立型ＩＰ電話機の電話番号に１：１に対応する第２のＩＰアドレスを前記第１のドメイン名サーバを経由して、或は前記第１のドメイン名サーバを経由せずに前記第１のH323終端部に返信し、前記第１のH323終端部は電話呼接続要求のＩＰパケットを生成して送出すると、前記生成して送出したＩＰパケットは、前記第１の網ノード装置、前記ＩＰ転送網内部の１以上のルータを経由し、前記第２の非独立型ＩＰ電話機が接続されている他の第２の網ノード装置に到達し、通信回線経由で他の第２のメディアルータ内部にあり前記第２の非独立型ＩＰ電話機が接続されている第２のH323終端部に届けられ、
第１利用者が電話の通話を始めると、前記第１の非独立型ＩＰ電話機は前記第１のＩＰアドレスを発信元ＩＰアドレスとし、前記第２のＩＰアドレスを宛先ＩＰアドレスとし、ディジタル表現した電話音声を含むＩＰパケットを送出し、このＩＰパケットは前記第１のH323終端部を経て前記網ノード装置、前記ＩＰ転送網内部の１以上のルータ、前記第２の網ノード装置、前記第２のH323終端部を経て前記第２の非独立型ＩＰ電話機に届けられるようになっている請求項１又は２に記載のＩＰ転送網を用いた端末間通信接続制御方法。
【請求項１４】
前記第２の非独立型ＩＰ電話機が通信回線経由で直接に他の網ノード装置に接続されている請求項１３に記載のＩＰ転送網を用いた端末間通信接続制御方法。
【請求項１５】
前記第２の非独立型ＩＰ電話機が複数であり、前記各非独立型ＩＰ電話機の間が通信回線経由で直接に他の網ノード装置に接続されている請求項１３に記載のＩＰ転送網を用いた端末間通信接続制御方法。
【請求項１６】
第１のアナログ電話機と第２のアナログ電話機との間で電話通信を行うため、前記第２の電話番号がH323終端部に送られ，前記H323終端部は、前記第２のアナログ電話機の電話番号を含むＩＰパケットを形成し、前記ＩＰパケットは、メディアルータ１内部のドメイン名サーバを経て第１の網ノード装置に到達し、前記第１の網ノード装置は、前記ＩＰパケットをＩＰ転送網内部の第２のドメイン名サーバへ送信し、前記第２のドメイン名サーバは、第２のアナログ電話機の電話番号に１：１に対応する第２のＩＰアドレス“ＩＰ２”を、前記第１のドメイン名サーバを経由して、或は前記第１のドメイン名サーバを経由せずに前記第１のH323終端部に返信し、
前記第１のH323終端部が電話呼接続要求のＩＰパケットを生成して送出すると、前記生成して送出したＩＰパケットは、前記第１の網ノード装置、前記ＩＰ転送網内部の１以上のルータを経由し、前記第２のアナログ電話機が接続されている他の第２の網ノード装置に到達し、通信回線経由で他の第２のメディアルータ内部にある前記第２のアナログ電話機が接続されている第２のH323終端部に届けられ、
第１の利用者が電話の利用を始めると、前記第１のアナログ電話機は、前記第１のＩＰアドレス“ＩＰ１”を発信元ＩＰアドレスとし、前記第２のＩＰアドレス“ＩＰ２”を宛先ＩＰアドレスとし、ディジタル表現した電話音声を含むＩＰパケットを送出し、このＩＰパケットは、前記ＩＰ転送網を経て、前記第２のアナログ電話機に届けられるようになっており、
同様に、前記第２のアナログ電話機から前記第１のアナログ電話機にディジタル表現した電話音声を含むＩＰパケットを送出し、
前記第１の利用者が電話通信終了のため送受話器を置くと、前記第１のH323終端部から、電話通信終了を示すＩＰパケットが生成されて送出され、前記ＩＰパケットは前記ＩＰ転送網を経て前記第２のH323終端部に到達し、続いて前記第２のアナログ電話機に電話通信終了信号が通知され、前記第２のアナログ電話機の電話通信終了確認通知が、前記ＩＰ転送網を経て、前記と逆方向に前記第１のH323終端部に知らされるようになっていることを特徴とするＩＰ転送網を用いた端末間通信接続制御方法。
【請求項１７】
前記メディアルータは少なくともドメイン名サーバ、ルータ、接続制御部、H323終端部、SCN境界部を含み、前記ルータはＩＰ通信回線経由でＩＰ端末を接続でき、H323境界部は前記ＩＰ通信回線経由で１以上の非独立型ＩＰ電話機或は１以上の非独立型ＩＰ音声画像装置の少なくとも一方を接続でき、前記SCN境界部は電話通信回線経由で１以上のアナログ電話機を接続でき、ＩＰ端末、非独立型ＩＰ電話機、非独立型ＩＰ音声画像装置、アナログ電話機は前記メディアルータを経由して網ノード装置に接続され、他の網ノード装置又は同一の網ノード装置に接続する他の端末に対応するＩＰアドレスを取得することにより端末間通信することができる請求項１６に記載のＩＰ転送網を用いた端末間通信接続制御方法。
【請求項１８】
前記メディアルータが前記ドメイン名サーバを含まない請求項１７に記載のＩＰ転送網を用いた端末間通信接続制御方法。
【請求項１９】
統合ＩＰ転送網は、ＩＰデータ網、ＩＰ電話網、ＩＰ音声画像網、ベストエフォート網、ＩＰデータマルチキャスト網、ＩＰベースTV放送網、網ノード装置を少なくとも２以上含み、網ノード装置は通信回線を経て前記ＩＰ転送網のいずれか１以上に接続されており、前記網ノード装置の論理端子は通信回線を経て前記統合ＩＰ転送網の外部の端末に接続されているＩＰ転送網を用いた端末間通信接続制御方法。
【請求項２０】
前記ＩＰ転送網の内部にゲートウェイが設置してあり、第１のゲートウェイには通信回線を経てＩＰ端末、非独立型ＩＰ電話機が接続され、第２のゲートウェイには通信回線を経てＩＰ端末及びＩＰ音声画像装置が接続され、前記第１のゲートウェイ、ＩＰ転送網、前記第２のゲートウェイを経由して端末間通信が可能である請求項１６に記載のＩＰ転送網を用いた端末間通信接続制御方法。
【請求項２１】
前記メディアルータはCATV網内部のCATVゲートウェイの内部にあり、通信回線を経てＩＰ転送網内部の網ノード装置に接続されており、前記メディアルータはCATV回線インタフェース、CATV回線のいずれかを経てＩＰ端末、アナログ電話機、ＩＰ電話機、ＩＰ音声画像装置を接続しており、前記CATV回線はCATV回線特有の通信下位層を含むと共に、通信ネットワークにおいてＩＰパケットを転送する機能を有する請求項１に記載のＩＰ転送網を用いた端末間通信接続制御方法。
【請求項２２】
ＩＰ端末１がCATV回線、CATVゲートウェイを経由して、統合ＩＰ転送網内部のドメイン名サーバにＩＰ端末２のホスト名を提示してＩＰ端末２のＩＰアドレスを取得し、前記端末間の端末間通信を行う請求項１に記載のＩＰ転送網を用いた端末間通信接続制御方法。
【請求項２３】
アナログ電話機１がCATV回線、CATVゲートウェイを経由して、統合ＩＰ転送網内部のドメイン名サーバにアナログ電話機２の電話番号を提示してアナログ電話機２のＩＰアドレスを取得し、アナログ電話機とアナログ電話機２との間の電話通信を行う請求項１に記載のＩＰ転送網を用いた端末間通信接続制御方法。
【請求項２４】
非独立型ＩＰ電話機がCATV回線、CATVゲートウェイを経由して、統合ＩＰ転送網内部のドメイン名サーバにアナログ電話機の電話番号を提示して当該アナログ電話機のＩＰアドレスを取得し、非独立型ＩＰ電話機と当該アナログ電話機との間の電話通信を行う請求項１に記載のＩＰ転送網を用いた端末間通信接続制御方法。
【請求項２５】
メディアルータを含み、ＩＰ端末、アナログ電話機、非独立型ＩＰ電話機、非独立型音声画像装置の少なくとも１以上をCATV回線とCATVインタフェースを経て接続し、前記ＩＰ端末、アナログ電話機、非独立型ＩＰ電話機、非独立型音声画像装置から送られるＩＰパケットを、内部のメディアルータ機能を用いてＩＰパケットに変換してＩＰ転送網へ送出し、ＩＰ転送網から受信したＩＰパケットをメディアルータを経由して、前記ＩＰ端末、アナログ電話機、非独立型ＩＰ電話機、非独立型音声画像装置のいずれかに送出する機能を有するCATVゲートウェイ。
【請求項２６】
ＩＰ端末、非独立型ＩＰ電話機、非独立型ＩＰ音声画像装置のいずれか１以上を収容しており、端末収容無線装置内の無線送受信部から、無線通信路を経由して、ゲートウェイに接続する無線送受信部、ゲートウェイ、網ノード装置、ＩＰ転送網、他の網ノード装置を経由して、他のＩＰ端末、非独立型ＩＰ電話機、非独立型ＩＰ音声画像装置と情報交換できる機能を有することを特徴とする端末収容無線装置。
【請求項２７】
ＩＰ端末１が端末収容無線装置、無線通信路、無線送受信部を経て統合ＩＰ転送網に接続されており、ＩＰ転送網内部のドメイン名サーバにＩＰ端末２のホスト名を提示して、前記ＩＰ端末２のＩＰアドレスを取得し、次に前記ＩＰ端末１から前記ＩＰ端末２にデータを送信することから前記端末間の端末間通信を行うことを特徴とするＩＰ転送網を用いた端末間通信接続制御方法。
【請求項２８】
非独立型ＩＰ電話機１が端末収容無線装置、無線通信路、無線送受信部を経て統合ＩＰ転送網に接続されており、ＩＰ転送網内部のドメイン名サーバに非独立型ＩＰ電話機２のホスト名を提示して非独立型ＩＰ電話機２のＩＰアドレスを取得し、次に前記非独立型ＩＰ電話機１から前記非独立型ＩＰ電話機２にデータを送信することから前記電話機間の端末間通信を行うことを特徴とするＩＰ転送網を用いた端末間通信接続制御方法。
【請求項２９】
非独立型音声画像装置１が端末収容無線装置、無線通信路、無線送受信部を経て統合ＩＰ転送網に接続されており、ＩＰ転送網内部のドメイン名サーバに非独立型音声画像装置２のホスト名を提示して非独立型音声画像装置２のＩＰアドレスを取得し、次に前記非独立型音声画像装置１から前記非独立型音声画像装置２にデータを送信することから前記音声画像装置間の端末間通信を行うことを特徴とするＩＰ転送網を用いた端末間通信接続制御方法。
【請求項３０】
ＩＰ端末から送出されたDNS問合せ応答形式のデータや送受するテキストデータは、端末収容装置内の無線インタフェース変換部で無線送受信部の入力データ形式に変換されて無線送受信部に入力され、無線通信路を経由してＩＰ網側の無線送受信部に送られ、前記無線インタフェース変換部においてゲートウェイに入力可能なＩＰパケットのデータ形式に変換されて通信回線経由で前記ゲートウェイに送られ、前記非独立型ＩＰ電話機から送出された電話の呼制御用のデータや送受するディジタル表現された音声データは、前記無線インタフェース変換部で無線送受信部の入力データ形式に変換されて前記無線送受信部に入力され、前記無線通信路、無線送受信部、無線インタフェース変換部、通信回線をそれぞれ経由し、前記ゲートウェイに入力可能なＩＰパケットのデータ形式となって前記ゲートウェイに送られ、非独立型ＩＰ音声画像装置から送出された音声画像端末の呼制御用のデータや送受するディジタル表現された音声と動画像データは、前記無線インタフェース変換部で無線送受信部の入力データ形式に変換されて前記無線送受信部に入力され、前記無線通信路、無線送受信部、無線インタフェース変換部、通信回線をそれぞれ経由し、前記ゲートウェイに入力可能なＩＰパケットのデータ形式となって前記ゲートウェイに送られるようになっていることを特徴とするＩＰ転送網を用いた端末間通信接続制御方法。
【請求項３１】
前記ゲートウェイ内部に通信手順別のゲートウェイ通信インタフェース機能部を複数設け、種々の電話用通信手順に対応できるようにした請求項２０に記載のＩＰ転送網を用いた端末間通信接続制御方法。
【請求項３２】
ＩＰ転送網は少なくとも網ノード装置、電話管理サーバ、代理電話サーバ、メディアルータ、電話ドメイン名サーバ、表管理サーバを含み、
ユーザｉ（ｉ＝1,2,・・・）は、前記ＩＰ転送網の外部にあるユーザのメディアルータに個別の外部ＩＰアドレス“EA-i”を設定し、前記ユーザｉのメディアルータに電話機を1以上接続し、
前記メディアルータは通信回線を経て前記網ノード装置のいずれかに接続され、前記通信回線の網ノード装置側終端部に、前記ユーザｉの通信のために用いる内部ＩＰアドレス“IA-i”が付与され、前記メディアルータにはユーザ個別の電話番号が付与され、
前記電話ドメイン名サーバは、ユーザ個別の電話番号、前記メディアルータの外部ＩＰアドレス“EA-i”、及び前記内部ＩＰアドレス“IA-i”との組を保持しており、
前記電話ドメイン名サーバはユーザ個別の電話番号を質問されて、外部ＩＰアドレス及び内部ＩＰアドレスを回答し、
前記網ノード装置に、前記メディアルータと代理電話サーバとの間のＩＰ通信路を定めるＩＰ通信レコードを設定しておき、
送信元電話機の要求は、前記ＩＰ通信レコードが用いられ、代理電話サーバを経由して電話管理サーバに伝えられ、
前記電話管理サーバが電話ドメイン名サーバに依頼して、送信元電話番号から送信元メディアルータの外部ＩＰアドレス及び内部ＩＰアドレス（“EA-i,IA-i”）、宛先電話番号から宛先メディアルータの外部ＩＰアドレス及び内部ＩＰアドレス（“EA-j,IA-j”）を取得し、
送信元側と宛先側の電話管理サーバは、送信元及び宛先側のメディアルータ及び電話機と電話通信接続制御のための一連の手続きを行い、前記表管理サーバが、前記4つのＩＰアドレスを送信側網ノード装置及び宛先網ノード装置それぞれに送信元電話機と宛先側の電話機との間のＩＰ通信レコードとして設定し、
電話通信が終了すると、電話管理サーバは前記表管理サーバに依頼して、前記ＩＰ通信レコードを抹消することを特徴とするＩＰ転送網を用いた端末間通信接続制御方法。
【請求項３３】
非独立型音声画像装置１がメディアルータ１を経由して、ＩＰ転送網内部のＩＰ画像専用ドメイン名サーバに非独立型音声画像装置２のホスト名を問合せて非独立型音声画像装置２のＩＰアドレスを取得し、次に前記非独立型音声画像装置１から前記メディアルータ１を経由し、前記ＩＰ転送網を経由し、メディアルータ２を経由して、非独立型音声画像装置２に音声画像データを送信することから、前記非独立型音声画像装置１と前記非独立型音声画像装置２との間で音声画像データを送受する音声画像通信を行う請求項１又は３２に記載のＩＰ転送網を用いた端末間通信接続制御方法。
【請求項３４】
独立型音声画像装置が、ＩＰ転送網内部のＩＰ画像専用ドメイン名サーバに非独立型音声画像装置のホスト名を問合せて非独立型音声画像装置のＩＰアドレスを取得し、次に前記独立型音声画像装置からＩＰ転送網を経由し、メディアルータを経由して、非独立型音声画像装置に音声画像データを送信することから、前記独立型音声画像装置と前記非独立型音声画像装置との間で音声画像データを送受する音声画像通信を行う請求項１又は３２に記載のＩＰ転送網を用いた端末間通信接続制御方法。
【請求項３５】
送信元側の電話機が電話呼設定を要求すると、送信元側の電話管理サーバは、電話音声用の通信回線を識別する回線番号を宛先電話番号と送信元電話番号の組から一意に定め、
送信元側の電話管理サーバは、電話呼設定を要求する前記回線番号を含むIAMパケットを宛先側の電話管理サーバへ送信し、
宛先側の電話管理サーバは、前記IAMパケット受信報告するACMパケットを送信元側の電話管理サーバに返信し、
宛先側の電話機が電話機着信音を鳴動させると、
宛先側電話管理サーバは、着信呼出中を知らせるCPGパケットを送信元側の電話管理サーバに送信し、
宛先側の電話機が呼設定要求に応答すると、宛先側の電話管理サーバは、呼設定要求への応答を示すANMパケットを送信側の電話管理サーバに送信し、送信元側の電話機は呼出音を停止して通話フェーズに移行し、
通話が終了し、電話呼切断要求が出されると、
電話呼切断要求側の電話管理サーバは、回線番号を用いて電話通信終了を要求するRELパケットを生成し、被切断側の電話管理サーバへ送信し、
前記被切断側の電話管理サーバはRELパケットを受信報告するRLCパケットを返信するようになっている請求項３２に記載のＩＰ転送網を用いた端末間通信接続制御方法。
【請求項３６】
ＩＰパケットのペイロード部分はUDPセグメントとし、電話呼接続フェーズと電話解放フェーズは唯一のポート番号として、異なる電話通信において、接続フェーズと電話解放フェーズを管理する単一の呼制御プログラムの利用を可能とし、電話通話フェーズにおいて、電話機毎に異なるUDPポート番号を割り当てることにより、メディアルータが唯一のＩＰアドレスであっても電話機毎に異なる音声を伝えることができるようになっている請求項３２に記載のＩＰ転送網を用いた端末間通信接続制御方法。
【請求項３７】
１つの電話管理サーバが単独で、送信側の電話管理サーバと受信側の電話管理サーバの機能を果たすために、前記電話管理サーバが代理電話管理サーバを経由して、送信元メディアルータ及び宛先メディアルータと、電話通信接続フェーズと電話解放フェーズの手続きを行うようになっている請求項３２に記載のＩＰ転送網を用いた端末間接続制御方法。
【請求項３８】
前記電話管理サーバが宛先電話番号が自らの通信会社の運用管理するＩＰ電話網の配下に加入しているかを知るために、電話番号の通信会社区分表を用いるようになっている請求項３２に記載のＩＰ転送網を用いた端末間通信接続制御方法。
【請求項３９】
宛先電話番号を有する電話機がどこの網ノード装置に加入しているか否かを知るために、電話番号の電話管理サーバ区分表を用いるようになっている請求項３２に記載のＩＰ転送網を用いた端末間通信接続制御方法。
【請求項４０】
運用管理サーバは回線番号、通信時刻、電話番号を含めた電話通信記録を収集し、課金用サーバに通知して、網内部を一元的に管理することにより網内部の端末間通信接続制御の信頼性を向上させるようになっている請求項３２に記載のＩＰ転送網を用いた端末間通信接続制御方法。
【請求項４１】
２以上の電話機を収容し、アナログ電話機に入力した音声はアナログインタフェース部でディジタル化されてメディアルータ主要部に送られ、ＩＰ電話機に入力した音声はＩＰ電話機でディジタル化されてメディアルータ主要部へ送られ、メディアルータ主要部から、電話音声を載せたＩＰパケットが、回線インタフェース部を経てＩＰ転送網の網ノード装置へ送出されるようになっており、いずれの電話機の電話番号共にアドレス管理表を用いて割り当て管理することを特徴とするメディアルータ。
【請求項４２】
ＩＰ転送網は２以上の網ノード装置を含み、メディアルータはＩＰ通信回線を経て前記網ノード装置のいずれかに接続されており、前記ＩＰ通信回線の網ノード装置側終端部の論理端子に内部ＩＰアドレスが付与されており、それぞれのメディアルータにはそれぞれ外部ＩＰアドレスが付与されており、かつ、前記メディアルータは通信回線を経て１以上の電話機を接続しており、前記網ノード装置内部のアドレス管理表のレコードとして、前記外部ＩＰアドレスと前記内部ＩＰアドレスを含み、ＩＰカプセル化方法を規定するＩＰ通信レコードが予め設定されており、前記メディアルータに接続された電話機と、他のメディアルータに接続された他の電話機との間において、前記ＩＰ通信レコードを用いて電話通信の接続制御と電話通信の解放制御を行うことを特徴とするＩＰ転送網を用いた端末間通信接続制御方法。
【請求項４３】
電話番号を質問されてＩＰアドレスを回答する電話番号サーバを含むメディアルータを用いる請求項４２に記載のＩＰ転送網を用いた端末間通信接続制御方法。
【請求項４４】
少なくとも送信元電話番号と宛先電話番号とを含む呼設定ＩＰパケット送信することにより電話呼接続フェーズを行う請求項４２に記載のＩＰ転送網を用いた端末間通信接続制御方法。
【請求項４５】
電話呼識別子の接続制御は複数の電話機に共通のポート番号を用い、電話機毎の個別音声通信は電話機毎に異なるポート番号を割り当てるようになっている請求項４４に記載のＩＰ転送網を用いた端末間通信接続制御方法。
【請求項４６】
ＩＰ転送網の内部をＩＰパケットを送受することにより、初期アドレスメッセージ、アドレス完了メッセージ、呼経過メッセージ、応答メッセージから成る電話通信のための端末間通信接続制御を行って通話フェーズに移行し、ＩＰパケットを送受することにより、解放要求メッセージと解放完了メッセージから成るステップを経て前記通話フェーズを終了させることを特徴とするＩＰ転送網を用いた端末間通信接続制御方法。
【請求項４７】
電話番号を質問されてＩＰアドレスを回答する電話番号サーバを含み、発呼する電話機の要求に基づいて電話番号サーバに問合せてＩＰアドレスを解決し、前記取得したＩＰアドレスを用いて電話呼設定ＩＰパケットを形成し、ＩＰ転送網に送信して電話通信の接続フェーズを開始することを特徴とするメディアルータ。
【請求項４８】
電話呼設定ＩＰパケットの内部に少なくとも送信元電話番号と宛先電話番号とを含んでいる請求項４７に記載のメディアルータ。
【請求項４９】
１以上の電話機を収容し、PBX制御部又は電話制御部の一方又は両方の機能を含んでいる請求項４７に記載のメディアルータ。
【請求項５０】
ＩＰパケット音声画像送受信機又はＩＰ端末、又はLANにＩＰパケットを送受できる通信回線を接続できるようになっている請求項４７に記載のメディアルータ。
【請求項５１】
発信優先度制御管理表を含み、メディアルータに接続する電話機やＩＰ端末、動画像送受信機からメディアルータに送られて来るＩＰパケット内の送信元ポート番号を用いて、発信優先度制御管理表の指定に従い優先度が高い順から網ノード装置側の通信回線にＩＰパケットを送出するようになっている請求項４７に記載のメディアルータ。
【請求項５２】
発信優先度制御管理表を含み、メディアルータに接続する電話機やＩＰ端末、動画像送受信機からメディアルータに送られて来るＩＰパケット内のＩＰアドレスと送信元ポート番号の組を用いて、発信優先度制御管理表の指定に従い優先度が高い順から網ノード装置側の通信回線にＩＰパケットを送出するようになっている請求項４７に記載のメディアルータ。
【請求項５３】
ＩＰ転送網は２以上の網ノード装置を含み、メディアルータはＩＰ通信回線を経て前記網ノード装置のいずれかに接続されており、前記ＩＰ通信回線の網ノード装置側終端部の論理端子に内部ＩＰアドレスが付与されており、それぞれのメディアルータにはそれぞれ外部ＩＰアドレスが付与されており、かつ前記メディアルータは通信回線を経て１以上の電話機に接続されており、網ノード装置内部のアドレス管理表のレコードとして、前記外部ＩＰアドレス及び前記内部ＩＰアドレスを含み、会社A-1，会社A-2，・・・，会社A-N(N>2)の間でのみ電話通信を行えるようにＩＰ通信レコードを設定して、閉域電話通信を行うようにできることを特徴とするＩＰ転送網を用いた端末間通信接続制御方法。
【請求項５４】
前記会社A-1，会社A-2，・・・，会社A-N(N>2)の間で有効な閉域電話通信網に接続する会社A-1の電話機が、前記会社A-1の内線電話機と電話通信でき、会社A-1以外の会社の電話機は前記会社A-1の内線電話機と電話通信できないようになっている請求項５３に記載のＩＰ転送網を用いた端末間通信接続制御方法。
【請求項５５】
ＩＰ転送網は２以上の網ノード装置を含み、メディアルータはＩＰ通信回線を経て前記網ノード装置のいずれかに接続されており、前記ＩＰ通信回線の網ノード装置側終端部の論理端子に内部ＩＰアドレスが付与されており、それぞれのメディアルータにはそれぞれ外部ＩＰアドレスが付与されており、かつ前記メディアルータは通信回線を経て１以上の電話機を接続しており、網ノード装置内部のアドレス管理表のレコードとして前記外部ＩＰアドレス及び前記内部ＩＰアドレスを含み、ＩＰカプセル化方法を規定する１以上のＩＰ通信レコードが予め設定可能であり、通話相手を限定する閉域通信網内の端末間通信に供する１以上のＩＰ通信レコードが予め設定してあり、通話相手を予め限定しない端末間通信に供するＩＰ通信レコードは、端末間の接続要求により接続フェーズにおいて新規に設定された後に端末間通信に供され、解放フェーズにおいて、前記ＩＰ通信レコードは抹消されるようになっていることを特徴とするＩＰ転送網を用いた端末間通信接続制御方法。
【請求項５６】
通話相手を限定する閉域電話通信においては、前記メディアルータ内部の電話番号サーバが用いられ、通話相手を限定しない開域電話通信においてはＩＰ転送網の内部の電話番号サーバが用いられる請求項５５に記載のＩＰ転送網を用いた端末間通信接続制御方法。
【請求項５７】
発信側の電話管理サーバと着信側の電話管理サーバとの間で、IAMパケット、ACMパケット、CPGパケット、ANMパケット、RELパケット、RLCパケットを送受するようになっている請求項５５に記載のＩＰ転送網を用いた端末間通信接続制御方法。
【請求項５８】
応答の後に応答確認を実施し、解放と解放完了との間に解放受付を実施する請求項５７に記載のＩＰ転送網を用いた端末間通信接続制御方法。
【請求項５９】
前記開域電話通信において、ＩＰ通信回線と、音声通信において用いられる通信回線とを分離できる請求項５６に記載のＩＰ転送網を用いた端末間通信接続制御方法。
【請求項６０】
電話番号サーバがCIC管理表を有し、送信元電話番号、宛先電話番号、電話通信の開始時刻、終了時刻を記録できるようになっている請求項５５に記載のＩＰ転送網を用いた端末間通信接続制御方法。
【請求項６１】
運用管理サーバが電話番号サーバに問い合わせて、送信元電話番号、宛先電話番号、電話通信の開始時刻、終了時刻を取得して課金に用いる請求項５５に記載のＩＰ転送網を用いた端末間通信接続制御方法。
【請求項６２】
発信回線数管理を行うようになっている請求項５５に記載のＩＰ転送網を用いた端末間通信接続制御方法。
【請求項６３】
着信回線数管理を行うようになっている請求項５５に記載のＩＰ転送網を用いた端末間通信接続制御方法。
【請求項６４】
網ノード装置が、ＩＰ網の外部から入力した端末間通信接続用のＩＰパケットと、音声通信用のＩＰパケットとを分離する機能を有し、前記ＩＰ網の内部から網ノード装置へ送られたＩＰパケットを合流してメディアルータへ送出するようになっている請求項５５に記載のＩＰ転送網を用いた端末間通信接続制御方法。
【請求項６５】
公衆電話交換網の中継交換機とＩＰ転送網のゲートウェイ１はNNI通信回線で接続しており、前記公衆電話交換網の加入者交換機“Ｘ１”に接続する電話番号“ＴＮ−１”である電話機“Ｔ−１”を、前記ＩＰ転送網に接続するメディアルータに電話番号“ＴＮ−１”として接続し、前記公衆電話交換網の加入者交換機“Ｘ２”に接続する電話番号“ＴＮ−２”である電話機“Ｔ−２”から電話番号“ＴＮ−１”に電話呼接続を要求すると、前記接続要求は加入者交換機“Ｘ１”に到達し、加入者交換機“Ｘ１”の着信転送機能により、前記接続要求は、前記中継交換機、前記NNI通信回線、前記ゲートウェイ１、前記ＩＰ転送網、前記メディアルータに接続する電話機“Ｔ−１”に到達するようになっていることを特徴とするＩＰ転送網を用いた端末間通信接続制御方法。
【請求項６６】
公衆電話交換網の加入者交換機とＩＰ転送網のゲートウェイ２はＵＮＩ通信回線で接続しており、前記公衆電話交換網の加入者交換機“Ｘ１”に接続する電話番号“ＴＮ−１”である電話機“Ｔ−１”を、前記ＩＰ転送網に接続するメディアルータに電話番号“ＴＮ−１”として接続し、前記公衆電話交換網の加入者交換機“Ｘ２”に接続する電話番号“ＴＮ−２”である電話機“Ｔ−２”から電話番号“ＴＮ−１”に電話呼接続を要求すると、前記接続要求は加入者交換機“Ｘ１”に到達し、加入者交換機“Ｘ１”の着信転送機能により、前記接続要求は前記加入者交換機、前記ＵＮＩ通信回線、前記ゲートウェイ２、前記ＩＰ転送網、前記メディアルータに接続する電話機“Ｔ−１”に到達するようになっていることを特徴とするＩＰ転送網を用いた端末間通信接続制御方法。
【請求項６７】
公衆電話交換網の電話番号を有する電話機をLAN内部のメディアルータに接続し、交換機の転送処理部に宛先電話番号と転送先ゲートウェイの電話番号との組を設定しておき、前記公衆電話交換網側の電話機からＩＰ転送網を経由して前記LAN内部の電話機へ接続し、端末間通信を行い得るようになっている請求項６５又は６６に記載のＩＰ転送網を用いた端末間通信接続制御方法。
【請求項６８】
公衆電話交換網１に接続する電話機から、ＩＰ転送網を経由して他の公衆電話交換網２に接続する他の電話機に通信するため、前記公衆電話交換網から前記ＩＰ転送網へ通話回線を接続するためのＩＰ転送網内部への入回線情報は、宛先電話機の電話番号をパラメータとして当該ＩＰ転送網内部の回線情報を含むゲートウェイに問合わせて取得し、ここで前記回線情報を含むゲートウェイはその内部のＩＰ転送網入回線表を参照するようにしたとを特徴とするＩＰ転送網を用いた端末間通信接続制御方法。
【請求項６９】
公衆電話交換網１に接続する電話機から、ＩＰ転送網を経由して他の公衆電話交換網２に接続する他の電話機に通信するため、前記公衆電話交換網から前記ＩＰ転送網へ通話回線を接続するためのＩＰ転送網内部への入回線情報は、宛先電話機の電話番号をパラメータとして当該ＩＰ転送網外部の入回線情報サーバに問合わせて取得し、ここで入回線情報サーバはその内部のＩＰ転送網入回線表を参照するようにしたことを特徴とするＩＰ転送網を用いた端末間通信接続制御方法。
【請求項７０】
公衆電話交換網１に接続する電話機から、ＩＰ転送網を経由して他の公衆電話交換網２に接続する他の電話機に通信するため、前記ＩＰ転送網から前記公衆電話交換網への通話回線を接続するためのＩＰ転送網外部への出回線情報は、宛先電話機の電話番号をパラメータとして当該ＩＰ転送網内部の出回線情報を用いることを特徴とするＩＰ転送網を用いた端末間通信接続制御方法。
【請求項７１】
公衆電話交換網１に接続する電話機から、ＩＰ転送網を経由して他の公衆電話交換網２に接続する他の電話機に通信するため、前記ＩＰ転送網から前記公衆電話交換網への通話回線を接続するためのＩＰ転送網外部への出回線情報は、宛先電話機の電話番号をパラメータとして当該ＩＰ転送網内部のゲートウェイに問い合わせ、前記ゲートウェイは当該ＩＰ転送網内部にある電話番号サーバに問い合わせ、前記電話番号サーバが回答することを特徴とするＩＰ転送網を用いた端末間通信接続制御方法。
【請求項７２】
前記ＩＰ転送網内部への入回線情報はNNI通信回線経由のアクセス情報であり、前記ＩＰ転送網外部への出回線情報はNNI通信回線経由のアクセス情報である請求項６８乃至７１のいずれかに記載のＩＰ転送網を用いた端末間通信接続制御方法。
【請求項７３】
前記ＩＰ転送網内部への入回線情報はUNI通信回線経由のアクセス情報であり、前記ＩＰ転送網外部への出回線情報はUNI通信回線経由のアクセス情報である請求項６８乃至７１のいずれかに記載のＩＰ転送網を用いた端末間通信接続制御方法。
【請求項７４】
前記ＩＰ転送網内部への入回線情報はNNI通信回線経由のアクセス情報であり、前記ＩＰ転送網外部への出回線情報はUNI通信回線経由のアクセス情報である請求項６８乃至７１のいずれかに記載のＩＰ転送網を用いた端末間通信接続制御方法。
【請求項７５】
前記ＩＰ転送網内部への入回線情報はUNI通信回線経由のアクセス情報であり、前記ＩＰ転送網外部への出回線情報はNNI通信回線経由のアクセス情報である請求項６８乃至７１のいずれかに記載のＩＰ転送網を用いた端末間通信接続制御方法。
【請求項７６】
公衆電話交換網の交換機から、回線情報を含むゲートウェイを信号局コードにより識別するようになっている請求項６８又は７１に記載のＩＰ転送網を用いた端末間通信接続制御方法。
【請求項７７】
カプセル化機能付終端ゲートウェイと中継ゲートウェイとの間において、電話の接続制御ＩＰ通信回線と音声ＩＰ通信回線とが分離されており、電話機１、カプセル化機能付終端ゲートウェイ及び中継ゲートウェイ、NNI通信回線、公衆電話交換網、電話機２を順に経由して、２つの電話機間において電話通信を行い得ることを特徴とするＩＰ転送網を用いた端末間通信接続制御方法。
【請求項７８】
カプセル化機能付終端ゲートウェイ内の電話管理サーバと中継ゲートウェイ内の中継制御部とが共に個別のCIC管理表を有し、前記個別のCIC管理表を用いて回線番号の管理を行うようになっている請求項７７に記載のＩＰ転送網を用いた端末間通信接続制御方法。
【請求項７９】
中継制御部が信号局アドレス管理表を検索して宛先電話機の電話番号を提示し、当該電話機を管理する交換機の信号局アドレスを取得するようになっている請求項７７に記載のＩＰ転送網を用いた端末間通信接続制御方法。
【請求項８０】
中継制御部が、予め公衆電話交換網と取り決めてあるルールにより回線番号及び信号リンク選択を定めるようになっている請求項７７に記載のＩＰ転送網を用いた端末間通信接続制御方法。
【請求項８１】
ＩＰパケット内部のアドレス情報及び信号ユニット内のラベル情報を保持しているアドレス接続表を用いて、ＩＰパケットと信号ユニットとの変換を行うようになっている請求項７７に記載のＩＰ転送網を用いた端末間通信接続制御方法。
【請求項８２】
メディアパス接続表を用いて、ディジタル音声を格納したＩＰパケットとNNI通信回線の音声通信回線の内部を伝送する音声信号との変換を行うようになっている請求項７７に記載のＩＰ転送網を用いた端末間通信接続制御方法。
【請求項８３】
請求項７７のＩＰ転送網を用いた端末間通信接続制御方法において、ＩＰパケット内部のアドレス情報及び信号ユニット内のラベル情報を含むアドレス接続表を用いて、ＩＰパケットと信号ユニットとの変換を行うことを特徴とする中継制御部。
【請求項８４】
請求項７７のＩＰ転送網を用いた端末間通信接続制御方法において、メディアパス接続表を用いて、ディジタル音声を格納したＩＰパケットとNNI通信回線の音声通信回線の内部を伝送する音声信号との変換を行うことを特徴とする音声制御部。
【請求項８５】
音声ＩＰパケットを送受するためのＩＰアドレスを有し、メディアパス接続表の設定に供する請求項８４に記載の音声制御部。
【請求項８６】
公衆電話交換網から受信又は送信するために用いる論理音声通信回線を確保し、その識別子を定めるようになっている請求項８４に記載の音声制御部。
【請求項８７】
カプセル化機能付き終端ゲートウェイは中継制御部及び網ノード装置を含み、前記網ノード装置はＩＰカプセル化と逆カプセル化の機能を有し、前記中継制御部は電話管理サーバ、電話番号サーバ、代理電話サーバ、表管理サーバを含み、メディアルータから網ノード装置に入力したＩＰパケットのうち、電話呼制御ＩＰパケットは中継制御部へ転送し、音声ＩＰパケットは音声ＩＰ通信回線に分岐するようになっている請求項７７に記載のカプセル化機能付き終端ゲートウェイ。
【請求項８８】
電話機１、公衆電話交換網１、NNI通信回線１、ＩＰ転送網に属する中継ゲートウェイ１と中継ゲートウェイ２、NNI通信回線２、公衆電話交換網２、電話機２とを順に経由し、２つの電話機間において電話通信を行うことを特徴とするＩＰ転送網を用いた端末間通信接続制御方法。
【請求項８９】
電話機１、公衆電話交換網、NNI通信回線、ＩＰ転送網に属する中継ゲートウェイとカプセル化機能付きゲートウェイ、メディアルータ、電話機２とを順に経由し、２つの電話機間において電話通信を行うことを特徴とするＩＰ転送網を用いた端末間通信接続制御方法。
【請求項９０】
電話機１、メディアルータ、ＩＰ転送網に属する非カプセル化機能付き終端ゲートウェイと中継ゲートウェイ、NNI通信回線、公衆電話交換網、電話機２とを順に経由し、２つの電話機間において電話通信を行うことを特徴とするＩＰ転送網を用いた端末間通信接続制御方法。
【請求項９１】
非カプセル化終端ゲートウェイ内部のアドレス管理表により、ＩＰアドレス及びポート番号の組を登録したＩＰパケットのみを通過させるＩＰパケットフィルタリングを行うようになっている請求項９０に記載のＩＰ転送網を用いた端末間通信接続制御方法。
【請求項９２】
非カプセル化終端ゲートウェイ内部のアドレス管理表により、ポート番号を登録したＩＰパケットのみ通過させるＩＰパケットフィルタリングを行う請求項９０に記載のＩＰ転送網を用いた端末間通信接続制御方法。
【請求項９３】
電話機１、メディアルータ１、ＩＰ転送網１に属するカプセル化機能付き終端ゲートウェイ及び中継ゲートウェイを経由し、ＩＰ転送網２に属する他の中継ゲートウェイ及び他のカプセル化機能付き終端ゲートウェイを経由し、メディアルータ２、電話機２を順に経由して、２つの電話機間において電話通信を行い得ることを特徴とするＩＰ転送網を用いた端末間通信接続制御方法。
【請求項９４】
電話機１、メディアルータ１、ＩＰ転送網１に属する非カプセル化機能付き終端ゲートウェイ及び非カプセル化中継ゲートウェイを経由し、ＩＰ転送網２に属する他の中継ゲートウェイ及び他の非カプセル化終端ゲートウェイを経由し、メディアルータ２、電話機２を順に又は逆方向に転送することにより、２つの電話機間において電話通信を行うことを特徴とするＩＰ転送網を用いた端末間通信接続制御方法。
【請求項９５】
通信会社Ｘの運用するＩＰ転送網Ｘから通信会社Ｙの運用するＩＰ転送網Ｙへ、ＩＰ転送網Ｙの中継制御部Ｙを宛先とするＩＰパケットが入力するケースにおいて、前記中継制御部Ｙは前記ＩＰパケッを受信すると、電話番号サーバに問合せて、前記ＩＰパケット内部に含まれる宛先電話番号への接続に関与するＩＰ転送網の他の中継制御部ＺのＩＰアドレスを取得して、前記取得したＩＰアドレスを新しく設定したＩＰパケットは前記他の中継制御部Ｚに転送されるようになっていることを特徴とするＩＰ転送網を用いた端末間通信接続制御方法。
【請求項９６】
網ノード装置は、外部ＩＰパケットをＩＰカプセル化して内部ＩＰパケットを形成する機能と、内部ＩＰパケットを逆ＩＰカプセル化して前記外部ＩＰパケットに復元する機能とを有し、前記ＩＰカプセル化と逆ＩＰカプセル化方法はアドレス管理表のレコードとして保持されており、端末のアドレスはアドレス管理表に含まれる請求項８又は１０に記載のＩＰ転送網を用いた端末間通信接続制御方法。
【請求項９７】
マルチキャストサービス提供者の情報及びマルチキャストサービス購入者の情報をユーザサービスサーバ経由で受付けて、マルチキャストトリー構造の設定に利用するようになっている請求項８又は１０に記載の端末間通信接続制御方法。
【請求項９８】
マルチキャストトリー構築サーバが、網ノード装置やルータ間の通信回線による接続情報や通信回線コストをリソース管理サーバに問合せて取得し、マルチキャストトリー構造の設定に利用するようになっている請求項８又は１０に記載の端末間通信接続制御方法。
【請求項９９】
マルチキャストトリー構築サーバが、網ノード装置内のアドレス管理表へのアドレス付加情報やルータ内の経路表サーバへの付加情報を複数の表管理サーバに通知して、マルチキャストトリー構造を定めるようになっている請求項８又は１０に記載の端末間通信接続制御方法。
【請求項１００】
各ルータの経路表にマルチキャスト通信レコードを設定しておき、トリー構築サーバから、前記マルチキャスト通信レコードを利用して表管理サーバへ、マルチキャストサービス用のトリー構造設定用のアドレス管理表追加情報や経路表追加情報を転送するようになっている請求項８又は１０に記載の端末間通信接続制御方法。
【請求項１０１】
マルチキャスト代理サーバが、網ノード装置に接続する端末と個別通信し、必要であればマルチキャストデータを送信することにより、高信頼度マルチキャストを実現するようになっている請求項８又は１０に記載の端末間通信接続制御方法。
【請求項１０２】
マルチキャストＩＰアドレスを送信元アドレスとして含むＩＰパケットを検出したとき、当該ＩＰパケットを廃棄してマルチキャスト送信元へのＩＰパケット集中を排除できるようになっている請求項８又は１０に記載の端末間通信接続制御方法。
【請求項１０３】
ＩＰカプセル化において、当該通信レコード内の内部パケット出力指定が無指定であるとき、ＩＰパケットを溢れ通信回線に転送するようになっている請求項１０又は１１に記載の網ノード装置。
【請求項１０４】
音声送信端末からディジタル化音声を送信し、複数のディジタル化音声受信端末が前記ディジタル化音声を受信するようになっていることを特徴とするマルチキャスト有線音声放送通信システム。
【請求項１０５】
ディジタル化音声動画像送信端末からディジタル化音声動画像を送信し、複数のディジタル化音声動画像受信端末が前記ディジタル化音声動画像を受信するようになっていることを特徴とする有線ＴＶ通信システム。
【請求項１０６】
ＩＰ転送網は１以上の網ノード装置を有し、前記網ノード装置は、ＩＰ転送網の外部から入力する外部ＩＰパケットをＩＰカプセル化して内部パケットを形成する機能と、内部パケットを逆カプセル化して前記外部ＩＰパケットに復元して外部に出力する機能とを有し、前記内部パケットは、ＩＰ転送網内部を、マルチキャスト機能付きルータを１以上通過して転送され、前記網ノード装置に通信回線を経て接続する１以上の端末は、それぞれ固有の外部ＩＰアドレスを有すると共に、マルチキャストサービス毎に定まるマルチキャストＩＰアドレスを１以上有し、マルチキャストデータ送信側の１以上の端末が送信したマルチキャストデータは前記ＩＰ転送網内部を転送され、１以上の端末に送達することにより前記端末は１以上のマルチキャストサービスを受けられるようになっていることを特徴とするＩＰ転送網を用いたマルチキャスト通信システム。
【請求項１０７】
受信側端末はＩＰ転送網運用者に依頼することにより、マルチキャストサービス別のマルチキャストＩＰアドレスを随時新たに設置し、或は取り消すことができるようになっている請求項１０６に記載のＩＰ転送網を用いたマルチキャスト通信システム。
【請求項１０８】
マルチキャストサービス代理サーバは、網ノード装置に１以上を接続できるようになっている請求項１０６に記載のＩＰ転送網を用いたマルチキャスト通信システム。
【請求項１０９】
マルチキャストサービス代理サーバが、マルチキャストサービス代理サーバが接続する当該網ノード装置に接続する１以上の端末から受信したＡＣＫパケット集約情報や、ＮＡＣＫパケット集約情報、個別端末の情報の集約情報を含むＩＰパケットを、当該マルチキャストサービスを実施している送信端末、或は送信事務サーバへ送信できる請求項１０６に記載のＩＰ転送網を用いたマルチキャスト通信システム。
【請求項１１０】
マルチキャストサービス代理サーバが、マルチキャストサービス代理サーバが接続する当該マルチキャストサービスを実施している送信端末或は送信事務サーバと、ＩＰパケットを送受して情報交換できるようになっている請求項１０６に記載のＩＰ転送網を用いたマルチキャスト通信システム。
【請求項１１１】
マルチキャストサービス代理サーバが、送信元端末から送信されたマルチキャストデータを受信して内部に保持し、マルチキャストサービス代理サーバが、網ノード装置のマルチキャスト機能を用いて、前記保持しているマルチキャストデータをマルチキャストサービス代理サーバが接続する当該網ノード装置に接続する端末に送出できる請求項１０６に記載のＩＰ転送網を用いたマルチキャスト通信システム。
【請求項１１２】
マルチキャストサービス代理サーバが、通信レコードを網ノード装置に設定してある特定の端末と、ＩＰパケットを送受することにより情報交換できるようになっている請求項１０６に記載のＩＰ転送網を用いたマルチキャスト通信システム。
【請求項１１３】
ＩＰカプセル化と逆ＩＰカプセル化の方法を指定する通信レコード内部の内部ＩＰパケット出力先指定値が指定有りのときＩＰカプセル化し、内部ＩＰパケット出力先指定値が指定無しのときＩＰカプセル化せずに、当該外部ＩＰパケットを外部ＩＰパケット溢れ通信回線に出力するようになっている請求項１０６に記載のＩＰ転送網を用いたマルチキャスト通信システム。
【請求項１１４】
溢れ通信回線サーバは、ＩＰカプセル化されない外部ＩＰパケットを外部ＩＰパケット溢れ通信回線を経由して受信すると共に、前記外部ＩＰパケットが含む情報を、網ノード装置経由で、マルチキャストサービス代理サーバに転送するようになっている請求項１１３に記載のＩＰ転送網を用いたマルチキャスト通信システム。
【請求項１１５】
溢れ通信回線サーバは、ＩＰカプセル化されない外部ＩＰパケットを外部ＩＰパケット溢れ通信回線を経由して受信すると共に、前記ＩＰパケットが含む情報を、溢れ通信回線サーバとマルチキャストサービス代理サーバとを接続する通信回線を経由して、マルチキャストサービス代理サーバに転送するようになっている請求項１１３に記載のＩＰ転送網を用いたマルチキャスト通信システム。
【請求項１１６】
ＩＰカプセル化と逆ＩＰカプセル化の方法を指定する通信レコード内部の内部ＩＰパケット出力先指定値が指定有りのときＩＰカプセル化し、内部ＩＰパケット出力先指定値が指定無しのときＩＰカプセル化せずに、当該外部ＩＰパケットを外部ＩＰパケット溢れ通信回線に出力するようになっていることを特徴とする網ノード装置。
【請求項１１７】
外部ＩＰパケットをＩＰカプセル化して内部ＩＰパケットを形成する機能と、内部ＩＰパケットを逆ＩＰカプセル化して前記外部ＩＰカプセルに復元する機能とを有し、前記ＩＰカプセル化と逆ＩＰカプセル化方法を指定する通信レコード内部の外部ＩＰパケット出力先指定値が指定有りのとき逆ＩＰカプセル化し、外部ＩＰパケット出力先指定値が指定無しのとき逆ＩＰカプセル化せずに、当該内部ＩＰパケットを内部ＩＰパケット溢れ通信回線に出力するようになっていることを特徴とする網ノード装置。
【請求項１１８】
外部ＩＰパケット溢れ通信回線に接続する溢れＩＰパケット振分け機能部を含むことができる請求項１１６に記載の網ノード装置。
【請求項１１９】
網ノード装置のアドレス管理表に宛先マルチキャストアドレスを登録しておき、網ノード装置に入るＩＰパケットのヘッダ内の宛先マルチキャストアドレスが前記アドレス管理表に登録されている場合は前記ＩＰパケットを転送し、登録されていない場合は、当該ＩＰパケットを廃棄する方法により、予定外のｌＰパケットがＩＰ転送網内部に混入することを防止するようにしていることを特徴とするＩＰ転送網を用いたマルチキャスト通信システム。
【請求項１２０】
網ノード装置のアドレス管理表に送信元端末のＩＰアドレスを登録しておき、網ノード装置に入るＩＰパケットのヘッダ内の送信元端末のＩＰアドレスが前記アドレス管理表に登録されている場合は前記ＩＰパケットを転送し、登録されていない場合は、当該ＩＰパケットを廃棄する方法により、予定外のｌＰパケットがＩＰ転送網内部に混入することを防止するようにしている請求項１１９に記載のＩＰ転送網を用いたマルチキャスト通信システム。
【請求項１２１】
網ノード装置のアドレス管理表に端末のＩＰアドレスを登録してある場合はＩＰパケットを送信し、ＩＰアドレスを登録していない場合は、前記ＩＰパケットを溢れ通信回線に転送する方法により、予定外のｌＰパケットがＩＰ転送網内部に混入することを防止するようにしていることを特徴とする網ノード装置。
【請求項１２２】
網ノード装置経路表に宛先マルチキャストアドレスを登録しておき、網ノード装置に入る外部ＩＰパケットのヘッダ内の宛先マルチキャストアドレスが前記経路表に登録されている場合は前記ＩＰパケットを転送し、登録されていない場合は、当該ＩＰパケットを廃棄する方法により予定外のｌＰパケットがＩＰ転送網内部に混入することを防止するようにしている請求項１１９に記載のＩＰ転送網を用いたマルチキャスト通信システム。
【請求項１２３】
経路表に宛先マルチキャストアドレスを登録しておき、網ノード装置に入る外部ＩＰパケットのヘッダ内の宛先マルチキャストアドレスが、前記経路表に登録されている場合は前記ＩＰパケットを転送し、登録されていない場合は、当該ＩＰパケットを廃棄する方法により予定外のｌＰパケットがＩＰ転送網内部に混入することを防止するようにしていることを特徴とする網ノード装置。
【請求項１２４】
前記マルチキャストサービス代理サーバが、送信元端末から送信されたマルチキャストデータを受信して内部に保持し、マルチキャストサービス代理サーバが、網ノード装置のマルチキャスト機能を用いて、前記保持しているマルチキャストデータを、マルチキャストサービス代理サーバが接続する当該網ノード装置に接続する端末に送出できる請求項１２２に記載のＩＰ転送網を用いたマルチキャスト通信システム。
【請求項１２５】
前記マルチキャストサービス代理サーバが、マルチキャストサービス代理サーバが接続する当該網ノード装置に接続する１以上の端末から受信したＡＣＫパケット集約情報やＮＡＣＫパケット集約情報、個別端末の情報の集約情報を含むＩＰパケットを、当該マルチキャストサービスを実施している送信端末或は送信事務サーバへ送信できる請求項１２２に記載のＩＰ転送網を用いたマルチキャスト通信システム。
【請求項１２６】
前記マルチキャストサービス代理サーバが、マルチキャストサービス代理サーバが接続する当該マルチキャストサービスを実施している送信端末或は送信事務サーバと、ＩＰパケットを送受して情報交換できるようになっている請求項１２０又は１２２に記載のＩＰ転送網を用いたマルチキャスト通信システム。
【請求項１２７】
前記マルチキャストサービス代理サーバは、ＩＰパケット溢れ通信回線を経由して受信したＩＰパケットが含む情報を用いるようになっている請求項１２２又は１２４に記載のＩＰ転送網を用いたマルチキャスト通信システム。
【請求項１２８】
請求項１２０又は１２２に記載のマルチキャスト通信システムを用いて、送信端末がディジタル化音声を送信し、複数の受信端末がディジタル化音声を受信できるようになっていることを特徴とする有線音声放送通信システム。
【請求項１２９】
請求項１２０又は１２２に記載のマルチキャスト通信システムを用いて、マルチキャスト代理サーバが、送信端末と受信端末との間における情報交換を仲介するようになっていることを特徴とする有線音声放送通信システム。
【請求項１３０】
前記マルチキャスト代理サーバと送信事務サーバとが、送信端末と受信端末間における情報交換を仲介するようになっている請求項１２８に記載の有線音声放送通信システム。
【請求項１３１】
送信端末がディジタル化音声動画像を送信し、複数の受信端末がディジタル化音声動画像を受信できるようになっている請求項１２０又は１２２に記載の有線ＴＶ放送通信システム。
【請求項１３２】
前記マルチキャスト代理サーバが、送信端末と受信端末との間における情報交換を仲介するようになっている請求項１３１に記載の有線ＴＶ放送通信システム。
【請求項１３３】
前記マルチキャスト代理サーバと送信事務サーバとが、送信端末と受信端末との間における情報交換を仲介するようになっている請求項１３１に記載の有線ＴＶ放送通信システム。
【請求項１３４】
端末は、通信回線経由でアドレス管理モジュールを接続するルータに接続し、前記アドレス管理モジュールのアドレス管理表に送信元ＩＰアドレスを登録しておき、ルータに入るＩＰパケットのヘッダ内の送信元ＩＰアドレスが、前記アドレス管理モジュール内のアドレス管理表に登録されている場合は前記ＩＰパケットを転送し、登録されていない場合は、当該ＩＰパケットを廃棄する方法により予定外のｌＰパケットがＩＰ転送網内部に混入することを防止するようにしていることを特徴とするＩＰ転送網を用いたマルチキャスト通信システム。
【請求項１３５】
端末は、通信回線経由でアドレス管理モジュールを接続するルータに接続し、前記アドレス管理モジュールのアドレス管理表に送信元ＩＰアドレスを登録しておき、ルータに入るＩＰパケットのヘッダ内の送信元ＩＰアドレスが、前記アドレス管理モジュール内のアドレス管理表に登録されている場合は前記ＩＰパケットを転送し、登録されていない場合は、当該ＩＰパケットをルータの溢れ通信回線に転送する方法により、予定外のｌＰパケットがＩＰ転送網内部に混入することを防止するようにしていることを特徴とするＩＰ転送網を用いたマルチキャスト通信システム。
【請求項１３６】
ＩＰ転送網は２以上のルータを含み、これらルータはＩＰ通信回線で接続され、端末は通信回線経由でアドレス管理モジュールを接続するルータに接続し、前記アドレス管理モジュールのアドレス管理表に端末のＩＰアドレスを登録しておき、ルータに入るＩＰパケットのヘッダ内の送信元ＩＰアドレスが、前記アドレス管理モジュール内のアドレス管理表に登録されている場合は前記ＩＰパケットを転送し、登録されていない場合は、当該ＩＰパケットを廃棄する方法により予定外のｌＰパケットがＩＰ転送網内部に混入することを防止するようにしていることを特徴とするＩＰ転送網を用いたマルチキャスト通信システム。
【請求項１３７】
マルチキャストサービス提供者が通信会社Ｘの管理する送信事務サーバと、通信会社Ｙの管理する送信事務サーバにマルチキャストデータを送信し、前記通信会社Ｘの送信事務サーバは、通信会社Ｘの管理するＩＰ転送網に接続する複数端末にマルチキャストデータを配送でき、前記通信会社Ｙの送信事務サーバは、通信会社Ｙの管理するＩＰ転送網に接続する複数端末にマルチキャストデータを配送できるようになっていることを特徴とするマルチキャスト通信システム。
【請求項１３８】
通信会社Ｘの管理するＩＰ転送網内の配送結果を、マルチキャストサービス代理サーバ経由で通信会社Ｘの送信事務サーバが収集し、マルチキャストサービス提供者に通知できるようになっており、通信会社Ｙの管理するＩＰ転送網内の配送結果を、マルチキャストサービス代理サーバ経由で通信会社Ｙの送信事務サーバが収集し、マルチキャストサービス提供者に通知できるようになっている請求項１３７に記載のマルチキャスト通信システム。
【請求項１３９】
外部の通信回線経由で網ノード装置に到達した外部パケット（送信元外部アドレス及び宛先外部アドレスを含む）は、前記網ノード装置内のアドレス管理表の管理の基に簡易ヘッダを付与されて内部パケットに変換され、前記内部パケットは前記簡易ヘッダ及び前記外部パケットで成り、前記簡易ヘッダは少なくとも宛先内部アドレスを含み、
前記内部パケットは前記網ノードから送出され、中継装置を経由するときは前記内部アドレスは前記中継装置で参照されて、中継装置を経由するケースと経由しないケースのいずれも可能であり、ＩＰ転送網内を転送されて他の網ノード装置に到達し、前記内部パケットから前記外部パケットが復元され、前記ＩＰ転送網の外部の通信回線に転送されるようになっており、
前記外部パケットが入力した通信回線終端の論理端子に付与された送信元内部アドレス、前記入力した外部パケット内の宛先外部アドレス及び送信元外部アドレスの３組が前記入力側の網ノード装置のアドレス管理表のレコードとして登録されているときに限り、前記外部パケットが前記内部パケットに変換されるようになっていることを特徴とするＩＰ転送網。
【請求項１４０】
前記３組が、前記送信元内部アドレス及び前記入力した外部パケット内の宛先外部アドレスの２組となっている請求項１３９に記載のＩＰ転送網。
【請求項１４１】
前記アドレス管理表のレコードは２以上であり、通信回線終端の論理端子に付与された内部アドレスに対して前記宛先アドレスの組はレコード毎に異なり、前記同一論理端子から入力する外部パケット内の宛先外部アドレスを変更することにより、前記内部パケットの転送先を変更できるようになっている請求項１３９又は１４０に記載のＩＰ転送網。
【請求項１４２】
前記入力した外部パケットの宛先アドレスと、アドレス管理表内レコード内部の宛先アドレスマスクとの論理積演算の結果が、前記同一レコード内の宛先アドレスと一致したときに限り、前記外部パケットから前記内部パケットに変換するようになっている請求項１３９又は１４０に記載のＩＰ転送網。
【請求項１４３】
電話機１からメディアルータ１、通信回線１、ＩＰ転送網内の網ノード装置１、ＩＰ転送網内部、ＩＰ転送網内の網ノード装置２、通信回線２、メディアルータ２を経て、電話機２との間でディジタル化音声を送受して電話通信が可能である請求項１３９又は１４０に記載のＩＰ転送網。
【請求項１４４】
音声画像装置１からメディアルータ１、通信回線１、ＩＰ転送網内の網ノード装置１、ＩＰ転送網内部、ＩＰ転送網内の網ノード装置２、通信回線２、メディアルータ２を経て、音声画像装置２との間でディジタル化した音声画像を送受して音声画像通信が可能である請求項１３９又は１４０に記載のＩＰ転送網。
【請求項１４５】
外部パケットに簡易ヘッダを付与して内部カプセル化する機能及び逆カプセル化機能を有している請求項１０３、１１６、１１７又は１２３のいずれかに記載の網ノード装置。
【請求項１４６】
前記初期アドレスメッセージが前記端末間通信用の通話回線を識別するための回線番号を含む請求項１に記載のＩＰ転送網を用いた端末間通信接続制御方法。
【請求項１４７】
前記接続サーバが、端末間通信の終了後に回線番号、通信時刻、電話番号を含めた端末間通信記録を収集して前記接続サーバの内部に記録し、課金や運用管理に用いるようになっている請求項１４６に記載のＩＰ転送網を用いた端末間通信接続制御方法。
【請求項１４８】
中継接続サーバを経由せずに、初期アドレスメッセージ、アドレス完了メッセージ、呼経過メッセージ、応答メッセージ、解放メッセージ、解放完了メッセージの送受を行う請求項１又は２に記載の端末間通信接続制御方法。
【請求項１４９】
ディジタルメディアを送受する機能を有する端末種別が、１以上の電話機、ＩＰ端末、音声動画像送受信端末、ファックス端末のいずれかである請求項１に記載のＩＰ転送網。
【請求項１５０】
統合ＩＰ転送網は、ＩＰデータ網、ＩＰ電話網、ＩＰ音声画像網、ベストエフォート網、ＩＰデータマルチキャスト網、ＩＰベースTV放送網、網ノード装置を少なくとも２以上を含み、網ノード装置は通信回線を経て前記ＩＰ転送網のいずれか１以上に接続されており、前記網ノード装置の論理端子は通信回線を経て前記統合ＩＰ転送網の外部に転送されるようになっていることを特徴とするＩＰ転送網。
【請求項１５１】
前記網ノード装置がＩＰカプセル化と逆ＩＰカプセル化の機能を含んでいる請求項１５０に記載のＩＰ転送網。
【請求項１５２】
前記網ノード装置が簡易カプセル化と簡易逆カプセル化の機能を含んでいる請求項１５０に記載のＩＰ転送網。
【請求項１５３】
端末のアドレスを網ノード装置の内部に含み、ＩＰカプセル化と逆ＩＰカプセル化、及び簡易カプセル化と簡易逆カプセル化を行わずに、外部パケット内の送信元アドレスを登録してある外部パケットを転送するようになっている請求項１５０に記載のＩＰ転送網。
【請求項１５４】
ＩＰ転送網は２以上の網ノード装置を含み、メディアルータはＩＰ通信回線を経て前記網ノード装置のいずれかに接続されており、前記ＩＰ通信回線の網ノード装置側終端部の論理端子に内部アドレスが付与されており、それぞれのメディアルータにはそれぞれ外部ＩＰアドレスが付与されており、かつ前記メディアルータは通信回線を経て１以上の電話機を接続しており、前記網ノード装置内部のアドレス管理表のレコードとして前記外部ＩＰアドレスと前記内部アドレスを含み、簡易カプセル化方法を規定するＩＰ通信レコードが予め設定されており、前記メディアルータに接続された電話機と、他のメディアルータに接続された他の電話機との間において、前記ＩＰ通信レコードを用いて電話通信の接続制御と電話通信の解放制御を行うことを特徴とするＩＰ転送網を用いた端末間通信接続制御方法。
【請求項１５５】
請求項５３の端末間通信接続制御方法において、電話番号を電話番号のドメイン名形式に変換し、次に前記ドメイン名形式から電話通信に用いるＩＰアドレスを取得するようになっていることを特徴とするＩＰアドレスの取得方法。
【請求項１５６】
ユーザが電話利用を申し込み、前記電話利用申込み情報は少なくともユーザサービスサーバと電話管理サーバを経由して、網ノード装置内のアドレス管理表のＩＰ通信レコードとして設定されて電話通信に用いられ、前記電話通信に対する通信料金が少なくとも電話管理サーバとユーザサービスサーバを経由して電話通信ユーザに請求できるようになっている請求項５５に記載の端末間通信接続制御方法。
【請求項１５７】
請求項５６の端末間通信接続制御方法において、電話番号を電話番号のドメイン名形式に変換し、次に前記ドメイン名形式から電話通信に用いるＩＰアドレスを取得するようになっていることを特徴とするＩＰアドレスの取得方法。
【請求項１５８】
非カプセル化機能付きゲートウェイ内部の終端装置が、ＩＰパケット内の電話管理サーバを指す外部アドレスを、電話管理サーバを指す内部アドレスに変換するNAT機能を有する請求項９０に記載のＩＰ転送網を用いた端末間通信接続制御方法。
【請求項１５９】
前記網ノード装置がアドレス管理モジュールとルータに分離されている請求項１１９、１２０，１２２のいずれかに記載のマルチキャスト通信システム。
【請求項１６０】
前記網ノード装置がアドレス管理モジュールとルータに分離されている請求項１２１又は１２３に記載のマルチキャスト通信システム。
【請求項１６１】
ＩＰカプセル化において、当該通信レコード内の内部パケット出力指定が無指定であるとき、ＩＰパケットを溢れ通信回線に転送するようになっている請求項８に記載の端末間通信接続制御方法。
【請求項１６２】
外部ＩＰパケットが通信回線の終端の論理端子から入力し、送信側の論理端子識別情報、前記外部ＩＰパケット内部の宛先外部ＩＰアドレス及び送信元外部ＩＰアドレスの３組が定まれば、送信側の網ノード装置と受信側の網ノード装置との間に内部パケットが転送される通信回線が定まり、外部ＩＰパケットに簡易ヘッダを付与して内部パケットが形成され、前記簡易ヘッダは少なくとも宛先内部アドレスを含むことを特徴とするＩＰ転送網。
【請求項１６３】
前記内部パケットが光フレームである請求項１３９、１４０又は１６２に記載のＩＰ転送網。
【請求項１６４】
ＩＰパケット内部の上位プロトコルを参照し、前記上位プロトコルの種類に応じてＩＰ転送網内部から網ノード装置に着信した内部パケットの次段階の優先度を選択するようになっている請求項１３９、１４０又は１６２に記載のＩＰ転送網を用いた端末間通信接続制御方法。
【請求項１６５】
前記上位プロトコルがＴＣＰの場合に、上位ポート番号毎に前記優先度を選択できるようになっている請求項１６４に記載のＩＰ転送網を用いた端末間通信接続制御方法。
【請求項１６６】
前記上位プロトコルがＵＤＰの場合に、上位ポート番号毎に前記優先度を選択できるようになっている請求項１６４に記載のＩＰ転送網を用いた端末間通信接続制御方法。
【請求項１６７】
ＩＰパケット内部の上位プロトコルを参照し、前記上位プロトコルの種類に応じて、ＩＰ転送網外部から網ノード装置に着信した外部パケットの次段階の優先度を選択するようになっている請求項１３９、１４０又は１６２に記載のＩＰ転送網を用いた端末間通信接続制御方法。
【請求項１６８】
前記上位プロトコルがＴＣＰの場合に、上位ポート番号毎に前記優先度を選択できるようになっている請求項１６７に記載のＩＰ転送網を用いた端末間通信接続制御方法。
【請求項１６９】
前記上位プロトコルがＵＤＰの場合に、上位ポート番号毎に前記優先度を選択できるようになっている請求項１６７に記載のＩＰ転送網を用いた端末間通信接続制御方法。
【請求項１７０】
前記３組が、前記送信側の論理端子識別情報と前記外部ＩＰパケット内部の宛先外部アドレスの２組となっている請求項１６２に記載のＩＰパケット転送網。
【請求項１７１】
請求項１６２のＩＰパケット転送網に用いる網ノード装置。
【請求項１７２】
請求項１７０のＩＰパケット転送網に用いる網ノード装置。
【請求項１７３】
通信接続制御回線とがＩＰ網の中で論理的に分離されていることを特徴とする共通線信号方式を用いたＰＳＴＮとＩＰ網を接続するための接続方法。
【請求項１７４】
網接続装置であり、ＰＳＴＮとＩＰ網とを共通線信号方式を用いて接続する機能を有し、前記ＩＰ網側に通信接続制御回線インタフェースと通信回線インタフェースとを有することを特徴とする網接続装置。
【請求項１７５】
ＩＰ網であり、通信接続制御回線と通信回線とが前記ＩＰ網の中で論理的に分離されており、前記通信接続制御回線と前記通信回線とは網ノード装置へ接続されており、通信接続制御は前記網ノード装置を用いて遂行されることを特徴とするＩＰ網。
【請求項１７６】
前記網ノード装置はＩＰ網外部にメディアルータを接続しており、ＩＰ網側に通信接続制御回線インタフェースと通信回線インタフェースを含み、前記ＩＰ網は共通線信号方式を用いて、ＰＳＴＮと前記ＩＰ網とを接続する機能を有している請求項１７５に記載のＩＰ網。
【請求項１７７】
発信側論理端子と外部パケットを基に内部パケットを形成し、形成した内部パケットの論理端子識別情報を基に着信側論理端子を決定し、端末は、通信回線経由で前記発信側論理端子又は前記着信側論理端子に接続されており、呼制御を含む内部パケットにより端末間通信接続制御を行うことを特徴とするＩＰ転送網。
【請求項１７８】
２以上の網ノード装置を含み、前記網ノード装置は論理端子を２以上含み、発信側の論理端子と外部パケットを基に発信側の網ノード装置が内部パケットを形成し、着信側の網ノード装置が、着信した内部パケットの論理端子識別情報を基に内部パケットが着信すべき論理端子を決定し、端末は、通信回線経由で前記発信側論理端子又は前記着信側論理端子に接続されており、呼制御を含む内部パケットにより端末間通信接続制御を行うことを特徴とするＩＰ転送網。
【請求項１７９】
２以上の網ノード装置を含み、外部パケットは発信側の網ノード装置で内部パケットに変換され、着信側網ノード装置で前記外部パケットが復元され、網ノード装置間は内部パケットで通信し、端末は、通信回線経由で前記発信側網ノード装置又は前記着信側網ノードに接続されており、呼制御を含む内部パケットにより端末間通信接続制御を行うことを特徴とするＩＰ転送網。
【請求項１８０】
２以上の網ノード装置を持ち、前記網ノード装置は論理端子を２以上含み、外部パケットは発信側の網ノード装置で内部パケットに変換され、着信側の網ノード装置で前記外部パケットが復元され、網ノード装置間は内部パケットで通信し、端末は、通信回線経由で前記発信側の網ノード装置又は前記着信側の網ノード装置に接続されており、着信側論理端子識別情報及び呼制御を含む内部パケットにより端末間通信接続制御を行うことを特徴とするＩＰ転送網。
【請求項１８１】
２以上の網ノード装置を持ち、前記網ノード装置は２以上の通信回線を含み、通信回線毎に論理端子が定まり、発信側の網ノード装置は論理端子毎に外部パケットから内部パケットを形成し、着信側の網ノード装置は着信側論理端子毎に前記内部パケットから前記外部パケットを復元し、端末は、通信回線経由で前記発信側論理端子又は前記着信側論理端子に接続されており、網ノード装置間は呼制御を含む内部パケットにより端末間通信接続制御を行うことを特徴とするＩＰ転送網。
【請求項１８２】
論理端子を２以上含み、発信側の論理端子と外部パケットを基に内部パケットを形成し、形成した内部パケットの論理端子識別情報を基に着信側論理端子を決定する機能を含み、前記内部パケットは呼制御を含むことを特徴とする網ノード装置。
【請求項１８３】
論理端子を２以上含み、発信側の論理端子と外部パケットを基に発信側の網ノード装置が内部パケットを形成し、着信側の網ノード装置が着信した内部パケットの論理端子識別情報を基に、前記内部パケットが着信すべき論理端子を決定する機能を含み、前記内部パケットは呼制御を含むことを特徴とする網ノード装置。
【請求項１８４】
ＩＰ転送網は２以上の網ノード装置を有し、外部パケットは発信側の網ノード装置で内部パケットに変換され、着信側の網ノード装置で外部パケットに復元され、網ノード装置間は内部パケットで通信し、端末は、通信回線経由で前記発信側網ノード装置又は前記着信側網ノード装置に接続されており、呼制御も含む内部パケットにより端末間通信接続制御を行うことを特徴とする網ノード装置。
【請求項１８５】
ＩＰ転送網は２以上の網ノード装置を持ち、論理端子を２以上含み、外部パケットは発信側の網ノード装置で内部パケットに変換され、着信側網ノード装置で外部パケットに復元され、網ノード装置間は内部パケットで通信し、端末は、通信回線経由で前記発信側網ノード装置又は前記着信側網ノード装置に接続されており、着信側論理端子識別情報及び呼制御も含む内部パケットにより端末間通信接続制御を行うことを特徴とする網ノード装置。
【請求項１８６】
２以上の通信回線を含み、通信回線毎に論理端子が定まり、発信側の網ノード装置は論理端子毎に外部パケットから内部パケットを形成し、着信側の網ノード装置は着信側論理端子毎に前記内部パケットから前記外部パケットを復元し、網ノード装置間は呼制御を含む内部パケットで通信を行うことを特徴とする網ノード装置。
【請求項１８７】
前記内部パケットが電話番号を含んでいる請求項１８２乃至１８６のいずれかに記載の網ノード装置。
【請求項１８８】
前記内部パケットが共通線信号方式の呼制御を含んでいる請求項１８２乃至１８６のいずれかに記載の網ノード装置。
【請求項１８９】
前記内部パケットがSＩＰ方式の呼制御を含んでいる請求項１８２乃至１８６のいずれかに記載の網ノード装置。
【請求項１９０】
前記内部パケットが共通線信号方式の呼制御を含んでいる請求項１７７乃至１８１のいずれかに記載のＩＰ転送網。
【請求項１９１】
前記内部パケットがSＩＰ方式の呼制御を含んでいる請求項１７７乃至１８１のいずれかに記載のＩＰ転送網。
【請求項１９２】
前記内部パケットが電話番号を含んでいる請求項１７７乃至１８１のいずれかに記載のＩＰ転送網。
【請求項１９３】
公衆電話交換網に接続するようになっている請求項１７７乃至１８１のいずれかに記載のＩＰ転送網。
【請求項１９４】
端末が電話機である請求項１７７乃至１８１のいずれかに記載のＩＰ転送網。
【請求項１９５】
端末が無線インタフェース機能を含んでいる請求項１７７乃至１８１のいずれかに記載のＩＰ転送網。
【請求項１９６】
メディアルータと接続し、メディアルータと呼制御も含むＩＰパケットを送受信するようになっている請求項１７７乃至１８１のいずれかに記載のＩＰ転送網。
【請求項１９７】
メディアルータと接続し、メディアルータとUNI方式の呼制御も含むＩＰパケットを送受信するようになっている請求項１７７乃至１８１のいずれかに記載のＩＰ転送網。
【請求項１９８】
メディアルータと接続し、メディアルータとSＩＰ方式の呼制御も含むＩＰパケットを送受信するようになっている請求項１７７乃至１８１のいずれかに記載のＩＰ転送網。
【請求項１９９】
端末を識別するために電話番号を用いるようになっている請求項１７７乃至１８１のいずれかに記載のＩＰ転送網。
【請求項２００】
端末間通信接続制御が通話フェーズである時に、ディジタルメディアを含むＩＰパケットを端末間において送信又は受信するようになっている請求項１７７乃至１８１のいずれかに記載のＩＰ転送網。
【請求項２０１】
電話番号を基にＩＰアドレスを形成するようになっている請求項１７７乃至１８１のいずれかに記載のＩＰ転送網。
【請求項２０２】
ゲートウェイを介して１つ以上の公衆電話交換網に接続するようになっている請求項１７７乃至１８１のいずれかに記載のＩＰ転送網。
【請求項２０３】
公衆電話交換網から見ると公衆電話交換網の信号局であるゲートウェイを介して公衆電話交換網に接続するようになっている請求項１７７乃至１８１のいずれかに記載のＩＰ転送網。
【請求項２０４】
無線送受信部はＩＰ転送網と接続されており、前記無線送受信部が無線形式の呼制御を送受信するようになっている請求項１７７乃至１８１のいずれかに記載のＩＰ転送網。
【請求項２０５】
無線送受信部はＩＰ転送網と接続されており、前記無線送受信部が電話番号を送受信するようになっている請求項１７７乃至１８１のいずれかに記載のＩＰ転送網。
【請求項２０６】
無線送受信部はＩＰ転送網と接続されており、前記無線送受信部が音声を送受信するようになっている請求項１７７乃至１８１のいずれかに記載のＩＰ転送網。
【請求項２０７】
無線送受信部はＩＰ転送網と接続されており、前記無線送受信部がディジタルメディアを送受信するようになっている請求項１７７乃至１８１のいずれかに記載のＩＰ転送網。
【請求項２０８】
呼制御を含む内部パケットの送受信を行う通信回線と音声を含む内部パケットの送受信を行う通信回線を分けるようになっている請求項１７７乃至１８１のいずれかに記載のＩＰ転送網。
【請求項２０９】
請求項１７７乃至１８１に記載のＩＰ転送網において、ゲートウェイはＩＰ転送網及び公衆電話交換網に接続し、前記ゲートウェイの内部に公衆電話交換網と同一のルールで通信接続制御を行う信号局機能を含むことを特徴とするゲートウェイ。
【請求項２１０】
電話番号とＩＰアドレスの1対1の対応付け情報を含んでいる請求項２０１に記載のＩＰ転送網。
【請求項２１１】
請求項１９９に記載のＩＰ転送網において、相手先電話番号を含む外部ＩＰパケットを前記ＩＰ転送網に送信し、前記ＩＰ転送網は相手先電話番号と1対1に対応する送信相手先ＩＰアドレスを形成して端末に返信することを特徴とする端末。
【請求項２１２】
端末識別番号を電話番号又はＩＰアドレスとするようになってい請求項１９９に記載の端末。
【請求項２１３】
発信側論理端子と外部パケットを基に内部パケットを形成し、前記形成された内部パケットの論理端子識別情報を基に着信側論理端子を決定し、端末は、通信回線経由で前記発信側論理端子又は前記着信側論理端子に接続されており、マルチキャスト用アドレスを含む内部パケットにより端末間通信接続制御を行うことを特徴とするＩＰ転送網。
【請求項２１４】
網ノード装置は論理端子を２以上含み、発信側の論理端子と外部パケットを基に発信側の網ノード装置が内部パケットを形成し、着信側の網ノード装置が着信した内部パケットの論理端子識別情報を基に内部パケットが着信すべき論理端子を決定し、端末は通信回線経由で前記発信側論理端子又は前記着信側論理端子に接続されており、マルチキャスト用アドレスを含む内部パケットにより端末間通信接続制御を行うことを特徴とするＩＰ転送網。
【請求項２１５】
ＩＰ転送網は３以上の網ノード装置を持ち、外部パケットは発信側の網ノード装置で内部パケットに変換され、着信側の網ノード装置で外部パケットに変換され、網ノード装置間は内部パケットで通信し、端末は、通信回線経由で前記発信側網ノード装置又は前記着信側網ノードに接続されており、マルチキャスト用アドレスを含む内部パケットにより端末間通信接続制御を行うことを特徴とするＩＰ転送網。
【請求項２１６】
ＩＰ転送網は３以上の網ノード装置を持ち、前記網ノード装置は論理端子を２以上含み、外部パケットは発信側の網ノード装置で内部パケットに変換され、着信側網ノード装置で外部パケットに変換され、網ノード装置間は内部パケットで通信し、端末は通信回線経由で前記発信側の網ノード装置又は前記着信側の網ノードに接続されており、着信側論理端子識別情報及びマルチキャスト用アドレスを含む内部パケットにより端末間通信接続制御を行うことを特徴とするＩＰ転送網。
【請求項２１７】
２以上の論理端子を含み、発信側の論理端子と外部ＩＰパケットを基に内部パケットを形成し、前記形成された内部パケットの論理端子識別情報を基に着信側論理端子を決定し、端末は、通信回線経由で前記発信側論理端子又は前記着信側論理端子に接続されており、マルチキャスト用アドレスを含む内部パケットにより端末間通信接続制御を行うことを特徴とする網ノード装置。
【請求項２１８】
２以上の論理端子を含み、発信側の論理端子と外部パケットを基に発信側の網ノード装置が内部パケットを形成し、着信側の網ノード装置が着信した内部パケットの論理端子識別情報を基に内部パケットが着信すべき論理端子を決定し、端末は、通信回線経由で前記発信側の網ノード装置又は前記着信側の網ノードに接続されており、マルチキャスト用アドレスを含む内部パケットにより端末間通信接続制御を行うことを特徴とする網ノード装置。
【請求項２１９】
ＩＰ転送網は３以上の網ノード装置を持ち、外部パケットは発信側の網ノード装置で内部パケットに変換され、着信側の網ノード装置で外部パケットに変換され、網ノード装置間は内部パケットで通信し、端末は通信回線経由で前記発信側の網ノード装置又は前記着信側の網ノードに接続されており、マルチキャスト用アドレスを含む内部パケットにより端末間通信接続制御を行うことを特徴とする網ノード装置。
【請求項２２０】
ＩＰ転送網は３以上の網ノード装置を持ち、外部パケットは発信側の網ノード装置で内部パケットに変換され、着信側の網ノード装置で外部パケットに変換され、網ノード装置間は内部パケットで通信し、論理端子を２以上含み、端末は通信回線経由で前記発信側の網ノード装置又は前記着信側の網ノードに接続されており、着信側論理端子識別情報及びマルチキャスト用アドレスを含む内部パケットにより端末間通信接続制御を行うことを特徴とする網ノード装置。
【請求項２２１】
前記内部パケットは音声を含んでいる請求項２１３乃至２１６のいずれかに記載のＩＰ転送網。
【請求項２２２】
前記内部パケットは電子新聞を含んでいる請求項２１３乃至２１６のいずれかに記載のＩＰ転送網。
【請求項２２３】
前記内部パケットは動画像等を含んでいる請求項２１３乃至２１６のいずれかに記載のＩＰ転送網。
【請求項２２４】
前記内部パケットはディジタル情報を含んでいる請求項２１３乃至２１６のいずれかに記載のＩＰ転送網。
【請求項２２５】
請求項１７７乃至１８１に記載のＩＰ転送網において、端末は宛先電話番号を含む外部ＩＰパケットをＩＰ転送網に送信し、ＩＰ転送網は宛先電話番号と1対1に対応する送信宛先ＩＰアドレスを形成して前記端末に返信し、前記端末は取得した送信宛先ＩＰアドレスと自己のＩＰアドレスを使用して宛先端末と通信を行うことを特徴とする端末の通信方法。
【請求項２２６】
請求項１９５に記載のＩＰ転送網に接続する機能を含み、無線インタフェースを含む端末。
【請求項２２７】
ＩＰ転送網は、発信側論理端子と外部パケットを基に内部パケットを形成し、前記形成された内部パケットの論理端子識別情報を基に着信側論理端子を決定し、無線送受信部及び通信回線経由で前記発信側論理端子又は前記着信側論理端子に接続され、無線インタフェースを含むことを特徴とする端末。
【請求項２２８】
ＩＰ転送網は２以上の網ノード装置を含み、前記網ノード装置は論理端子を２以上含み、発信側の論理端子と外部パケットを基に発信側の網ノード装置が内部パケットを形成し、着信側の網ノード装置が、着信した内部パケットの論理端子識別情報を基に内部パケットが着信すべき論理端子を決定し、無線送受信部及び通信回線経由で前記発信側論理端子又は前記着信側論理端子に接続し、無線インタフェースを含むことを特徴とする端末。
【請求項２２９】
ＩＰ転送網は２以上の網ノード装置を持ち、外部パケットは発信側の網ノード装置で内部パケットに変換され、着信側の網ノード装置で前記外部パケットが復元され、網ノード装置間は論理端子識別情報を含む内部パケットで通信し、無線送受信部及び通信回線経由で前記発信側の網ノード装置又は前記着信側の網ノードに接続し、無線インタフェースを含むことを特徴とする端末。
【請求項２３０】
ＩＰ転送網は２以上の網ノード装置を含み、前記網ノード装置は２以上の通信回線を含み、通信回線毎に論理端子が定まり、発信側の網ノード装置は論理端子毎に外部パケットから内部パケットを形成し、着信側の網ノード装置は着信側論理端子毎に前記内部パケットから前記外部パケットを復元し、無線送受信部及び通信回線経由で前記発信側論理端子又は前記着信側論理端子に接続し、無線インタフェースを含むことを特徴とする端末。
【請求項２３１】
２以上の網ノード装置を持ち、外部パケットは発信側の網ノード装置で内部パケットに変換され、着信側の網ノード装置で前記外部パケットが復元され、網ノード装置間は内部パケットで通信し、端末は前記発信側の網ノード装置又は前記着信側の網ノードに接続し、着信側論理端子識別情報及び呼制御を含む内部パケットにより端末間通信接続制御を行い、網ノード装置にＩＰ端末のＩＰアドレスを登録しておき、未登録の送信元ＩＰアドレスを含むＩＰパケットを受信すると、前記網ノード装置が前記ＩＰパケットを廃棄することを特徴とするＩＰ転送網。
【請求項２３２】
２以上の網ノード装置を持ち、外部パケットは発信側の網ノード装置で内部パケットに変換され、着信側の網ノード装置で前記外部パケットが復元され、網ノード装置間は内部パケットで通信し、着信側論理端子識別情報及び呼制御を含む内部パケットにより端末間通信接続制御を行う機能を含み、端末は前記発信側の網ノード装置又は前記着信側の網ノードに接続し、端末のＩＰアドレスを登録しておき、未登録の送信元ＩＰアドレスを含むＩＰパケットを受信すると、前記網ノード装置が前記ＩＰパケットを廃棄することを特徴とする網ノード装置。
【請求項２３３】
網ノード装置にＩＰ端末のＩＰアドレスを登録しておき、未登録の送信元ＩＰアドレスを含むＩＰパケットを受信すると、前記網ノード装置が前記ＩＰパケットを廃棄するようになっている請求項１７７乃至１８１、２１３乃至２１６のいずれかに記載のＩＰ転送網。
【請求項２３４】
網ノード装置にＩＰ端末のＩＰアドレスを登録しておき、未登録の送信元ＩＰアドレスを含むＩＰパケットを受信すると、前記網ノード装置が前記ＩＰパケットを廃棄するようになっている請求項２１７乃至２２０に記載の網ノード装置。
【請求項２３５】
網ノード装置に端末のＩＰアドレスを登録しておき、未登録の送信元ＩＰアドレスを含むＩＰパケットを受信すると、前記網ノード装置が前記ＩＰパケットを廃棄するようになっている請求項１７７乃至１８１、２１７乃至２２０のいずれかに記載の端末。
【請求項２３６】
網ノード装置にＩＰ端末のＩＰアドレスを登録しておき、未登録の送信先ＩＰアドレスを含むＩＰパケットを受信すると、前記網ノード装置が前記ＩＰパケットを廃棄するようになっている請求項１７７乃至１８１、２１７乃至２２０のいずれかに記載のＩＰ転送網。
【請求項２３７】
ゲートウェイを介して公衆電話網に接続し、接続する端末と公衆電話網に接続する電話機間で通信を行うときに、呼制御を含むＩＰパケットを用いて端末と電話機間の通信接続制御を行うことを特徴とするＩＰ転送網。
【請求項２３８】
ゲートウェイを介して公衆電話網に接続し、接続する端末と公衆電話網に接続する電話機間で通信を行うときに、SＩＰ方式の呼制御を含むＩＰパケットを用いて端末と電話機間の通信接続制御を行うことを特徴とするＩＰ転送網。
【請求項２３９】
ゲートウェイを介して公衆電話網に接続し、接続する端末と公衆電話網に接続する電話機間で通信を行うときに、共通線信号方式の呼制御を含むＩＰパケットを用いて端末と電話機間の通信接続制御を行うことを特徴とするＩＰ転送網。
【請求項２４０】
電話番号を基に端末のＩＰアドレスを生成する機能を含み、ゲートウェイを介して公衆電話網に接続し、接続する端末と公衆電話網に接続する電話機間で通信を行うときに、呼制御を含むＩＰパケットを用いて端末と電話機間の通信接続制御を行う機能を含むことを特徴とするＩＰ転送網。
【請求項２４１】
２以上の端末が接続され、電話番号を基に端末のＩＰアドレスを生成し、呼制御を含むＩＰパケットを用いて接続する端末間の通信接続制御を行うことを特徴とするＩＰ転送網。
【請求項２４２】
２以上の端末が接続され、電話番号を基にＩＰアドレスを生成し、呼制御及び音声を含むＩＰパケットを用いて端末間の通信接続制御を行うことを特徴とするＩＰ転送網。
【請求項２４３】
２以上の端末が接続され、呼制御を含むＩＰパケットを用いて端末間の通信接続制御を行うことを特徴とするＩＰ転送網。
【請求項２４４】
２以上の端末が接続され、共通線信号方式の呼制御を含むＩＰパケットを用いて端末間通信接続制御を行うことを特徴とするＩＰ転送網。
【請求項２４５】
２以上の端末が接続され、ＳＩＰ方式の呼制御を含むＩＰパケットを用いて端末間通信接続制御を行うことを特徴とするＩＰ転送網。
【請求項２４６】
２以上の端末が接続され、H323方式の呼制御を含むＩＰパケットを用いて端末間通信接続制御を行うことを特徴とするＩＰ転送網。
【請求項２４７】
２以上の網ノード装置を含み、前記網ノード装置は端末と接続し、前記網ノード装置に端末のＩＰアドレスを登録しておき、未登録の送信元ＩＰアドレスを含むＩＰパケットを受信すると前記網ノード装置が前記ＩＰパケットを廃棄し、呼制御を含むＩＰパケットを用いて端末間通信接続制御を行うことを特徴とするＩＰ転送網。
【請求項２４８】
２以上の端末を接続し、電話番号を基にＩＰアドレスを生成する機能を含み、呼制御を含むＩＰパケットを用いて端末間通信接続制御を行う機能を含み、異なる会社のＩＰ転送網と接続することを特徴とするＩＰ転送網。
【請求項２４９】
ＩＰ転送網と接続し、前記ＩＰ転送網は呼制御を含むＩＰパケットを用いて端末間通信接続制御を行い、宛先端末の電話番号を含むＩＰパケットを前記ＩＰ転送網に送信し、前記ＩＰ転送網は送信された電話番号を基に宛先端末のＩＰアドレスを生成して端末に返信し、返信された宛先端末のＩＰアドレスと自身のＩＰアドレスを用いて宛先端末と通信することを特徴とする端末。
【請求項２５０】
請求項２３７乃至２４８に記載のＩＰ転送網に接続することを特徴とする端末。
【請求項２５１】
無線インタフェースを含んでいる請求項２３７乃至２４８のいずれかに記載のＩＰ転送網。
【請求項２５２】
端末はＩＰ転送網に接続し、前記ＩＰ転送網は呼制御を含むＩＰパケットを用いて端末間通信接続制御を行い、前記端末は宛先端末の電話番号を含むＩＰパケットを前記ＩＰ転送網に送信し、前記ＩＰ転送網は送信された電話番号を基に宛先端末のＩＰアドレスを生成して端末に返信し、前記端末は返信された宛先端末のＩＰアドレスと自身のＩＰアドレスを用いて宛先端末と通信することを特徴とする端末の通信方法。
【請求項２５３】
２以上の網ノード装置を含み、前記網ノード装置は端末と接続し、呼制御を含むＩＰパケットを用いて端末間通信接続制御を行い、外部パケットの発信者アドレスが、発信側の網ノード装置に保持されている外部パケットの発信者アドレスに含まれるとき内部パケットに変換され、着信側の網ノード装置で外部パケットに復元され、網ノード装置間は内部パケットで通信を行うことを特徴とするＩＰ転送網。
【請求項２５４】
２以上の網ノード装置を含み、前記網ノード装置は端末と接続し、呼制御を含むＩＰパケットを用いて端末間通信接続制御を行い、外部パケットの宛先アドレスが、発信側の網ノード装置に登録されている外部パケットの宛先アドレスに含まれるとき内部パケットに変換され、着信側の網ノード装置で外部パケットに復元され、網ノード装置間は内部パケットで通信を行うことを特徴とするＩＰ転送網。
【請求項２５５】
２以上の網ノード装置を含み、前記網ノード装置は端末と接続し、呼制御を含むＩＰパケットを用いて端末間通信接続制御を行い、発信側の網ノード装置で内部パケットに変換され、網ノード装置間は内部パケットで通信を行い、着信側の網ノード装置で着信した内部パケットに含まれる外部パケットの発信者アドレスが、着信側の網ノード装置に登録されている外部パケットの発信者アドレスに含まれるとき外部パケットに復元されることを特徴とするＩＰ転送網。
【請求項２５６】
２以上の網ノード装置を含み、呼制御を含むＩＰパケットを用いて端末間通信接続制御を行い、発信側の網ノード装置で内部パケットに変換され、網ノード装置間は内部パケットで通信を行い、着信側の網ノード装置で着信した内部パケットに含まれる外部パケットの宛先アドレスが、着信側の網ノード装置に登録されている外部パケットの宛先アドレスに含まれるとき外部パケットに復元されることを特徴とするＩＰ転送網。
【請求項２５７】
２以上の網ノード装置を含み、前記各網ノード装置には端末が接続され、電話番号を基にＩＰパケットのアドレスを生成し、ＩＰパケットの発信者アドレスが発信側の網ノード装置に登録されている発信者アドレスに含まれるとき、呼制御を含むＩＰパケットを用いて端末間通信接続制御を行うことを特徴とするＩＰ転送網。
【請求項２５８】
２以上の網ノード装置を含み、前記各網ノード装置には端末が接続され、電話番号を基にＩＰパケットのアドレスを生成し、ＩＰパケットの着信者アドレスが発信側の網ノード装置に登録されている着信者アドレスに含まれるとき、呼制御を含むＩＰパケットでを用いて端末間通信接続制御を行うことを特徴とするＩＰ転送網。
【請求項２５９】
２以上の網ノード装置を含み、前記各網ノード装置には端末が接続され、電話番号を基にＩＰパケットのアドレスを生成し、ＩＰパケットの発信者アドレスが着信側の網ノード装置に登録されている発信者アドレスに含まれるとき呼制御を含むＩＰパケットを用いて端末間通信接続制御を行うことを特徴とするＩＰ転送網。
【請求項２６０】
ＩＰ転送網と公衆電話網に接続し、前記ＩＰ転送網には端末が接続され、前記公衆電話網には電話機が接続され、前記公衆電話網から見ると信号局の機能を含み、前記ＩＰ転送網と呼制御を含むＩＰパケットで通信を行い、前記公衆電話網と前記信号局の機能を用いて通信を行い、前記端末と前記電話機との間の通信接続制御を行うことを特徴とするゲートウェイ。
【請求項２６１】
ＩＰ転送網と公衆電話網に接続し、呼制御を含むＩＰパケットを用いてＩＰ通信網に接続された端末と通信し、前記公衆電話網に接続された電話機と公衆電話網から見ると信号局の機能を用いて通信を行うことを特徴とするゲートウェイ。
【請求項２６２】
発信側論理端子及び外部パケットを基に内部パケットを形成し、前記形成された内部パケットの論理端子識別情報を基に着信側論理端子を決定し、前記内部パケットのへダーは送信元アドレスを含まずに宛先アドレスのみを含み、呼制御を含む内部パケットで端末間通信接続制御を行うことを特徴とするＩＰ転送網。
【請求項２６３】
網ノード装置を２以上含み、前記網ノード装置は２以上の論理端子を含み、発信側論理端子と外部パケットを基に送信側の網ノード装置が内部パケットを形成し、着信側の網ノード装置が着信した内部パケットの論理端子識別情報を基に着信側論理端子を決定し、前記内部パケットのへダーは送信元アドレスを含まずに宛先アドレスのみを含み、呼制御を含む内部パケットで端末間通信接続制御を行うことを特徴とするＩＰ転送網。
【請求項２６４】
網ノード装置を２以上含み、前記網ノード装置は２以上の論理端子を含み、発信側の網ノード装置は外部パケットを基に内部パケットを形成し、着信側の網ノード装置は前記外部パケットを復元し、網ノード装置間は前記内部パケットで通信を行い、前記内部パケットは着信側論理端子識別情報を含み、前記内部パケットのへダーは送信元アドレスを含まずに宛先アドレスのみを含み、呼制御を含む内部パケットで端末間通信接続制御を行うことを特徴とするＩＰ転送網。
【請求項２６５】
網ノード装置は２以上の通信回線を含み、前記通信回線毎に論理端子が定まり、発信側の網ノード装置は前記論理端子毎に外部パケットから内部パケットを形成し、着信側の網ノード装置は着信側論理端子毎に前記内部パケットから前記外部パケットを復元し、網ノード装置間は前記内部パケットで通信を行い、前記内部パケットのへダーは送信元アドレスを含まずに宛先アドレスのみを含み、呼制御を含む内部パケットで端末間通信接続制御を行うことを特徴とするＩＰ転送網。
【請求項２６６】
２以上の論理端子を含み、発信側論理端子と外部パケットを基に内部パケットを形成し、前記形成された内部パケットの論理端子識別情報を基に着信側論理端子を決定し、前記内部パケットのへダーは送信元アドレスを含まずに宛先アドレスのみを含み、呼制御を含む内部パケットで端末間通信接続制御を行うことを特徴とする網ノード装置。
【請求項２６７】
２以上の論理端子を含み、送信側の網ノード装置は発信側論理端子と外部パケットを基に内部パケットを形成し、着信側の網ノード装置は着信した内部パケットの論理端子識別情報を基に着信側論理端子を決定し、前記内部パケットのへダーは送信元アドレスを含まずに宛先アドレスのみを含み、呼制御を含む内部パケットで端末間通信接続制御を行うことを特徴とする網ノード装置。
【請求項２６８】
２以上の論理端子を含み、発信側の網ノード装置は外部パケットを基に内部パケットを形成し、着信側の網ノード装置は前記外部パケットを復元し、網ノード装置間は前記内部パケットで通信を行い、前記内部パケットは着信側論理端子識別情報を含み、前記内部パケットのへダーは送信元アドレスを含まずに宛先アドレスのみを含み、呼制御を含む内部パケットで端末間通信接続制御を行うことを特徴とする網ノード装置。【請求項２６９】２以上の通信回線と接続し、前記通信回線毎に論理端子が定まり、発信側の網ノード装置は前記論理端子毎に外部パケットから内部パケットを形成し、着信側の網ノード装置は着信側論理端子毎に前記内部パケットから前記外部パケットを復元し、網ノード装置間は前記内部パケットで通信を行い、前記内部パケットのへダーは送信元アドレスを含まずに宛先アドレスのみを含み、呼制御を含む内部パケットで端末間通信接続制御を行うことを特徴とする網ノード装置。
【請求項２７０】
端末が接続された網ノード装置を２以上含み、送信側の網ノード装置で外部ＩＰパケットから内部ＩＰパケットを形成し、着信側の網ノード装置で前記内部ＩＰパケットから前記外部ＩＰパケットを復元し、前記送信側の網ノード装置と前記着信側の網ノード装置は前記内部ＩＰパケットで通信し、呼制御を含むＩＰパケットで端末間通信接続制御を行うことを特徴とするＩＰ転送網。
【請求項２７１】
ＩＰ通信網は端末が接続された網ノード装置を２以上含み、送信側の網ノード装置で外部ＩＰパケットから内部ＩＰパケットを形成し、着信側の網ノード装置で前記内部ＩＰパケットから前記外部ＩＰパケットを復元し、前記送信側の網ノード装置と前記着信側の網ノード装置は前記内部ＩＰパケットで通信し、呼制御を含むＩＰパケットで端末間通信接続制御を行うことを特徴とする網ノード装置。